(57)【要約】      （修正有）【課題】デジタル通信に関し、送信パワーを縮小し、ワイヤレスデジタル通信システムのキャパシティを増大させるための技術を提供する。【解決手段】通信システムにおいて送信される最小レートフレームの、システマティックな非送信、すなわち「ブランキング(blanking)」が提供される。受信機は、ヌルレート送信またはノンヌルレート送信の存在を検出し、そして、それに応じて受信フレームを処理し、そしてそれは、ノンヌルレートフレームに応じてのみ外部ループパワー制御を更新することを含む。ヌルレートを検出することにおいて受信機を手助けするパイロット送信ゲーティングパターンを変更するためのさらなる技術が提供されている。【選択図】図１９
2014096799.tif 000002
【特許請求の範囲】
【請求項１】
通信チャネル上のシーケンシャルフレーム送信の早期終了のための方法であって、前記方法は、
第１のフレームを受信機に連続的に送信することと、
前記第１のフレームを送信している間に、前記受信機から肯定応答メッセージを受信することと、
前記肯定応答メッセージを受信した後で前記第１のフレームの送信を止めることと、
を備えている、方法。
【請求項２】
各フレームは送信について固定された時間インターバルを割り付けられ、
前記固定された時間インターバルが前記第１のフレームについて経過した後で、第２のフレームの送信を開始すること、
をさらに備え、前記第２のフレームは、フレームシーケンスにおいて前記第１のフレームにすぐに続く、請求項１に記載の方法。
【請求項３】
前記受信機からパワー制御メッセージを受信することに応じて前記第１のフレームの送信パワーを調整すること、をさらに備えている請求項１に記載の方法。
【請求項４】
各フレームは、複数のシーケンシャルサブセグメントへとフォーマット化されており、前記連続的に送信することは、
前記受信機に対しシーケンスで前記第１のフレームのサブセグメントを連続的に送信すること、
を備えている、請求項１に記載の方法。
【請求項５】
各フレームは、時間にわたってインタリーブされた、フラクショナルエンコードされたビットを備えている、請求項１に記載の方法。
【請求項６】
通信チャネル上のシーケンシャルフレーム送信の早期終了のための方法であって、前記方法は、
送信機から第１のフレームを連続的に受信することと；
全体の第１のフレームを受信する前に、前記第１のフレームを復号することを試みること；
前記試みの結果に基づいて、成功フレーム復号を決定することと；
前記成功フレーム復号を決定することに基づいて、前記送信機に対して肯定応答メッセージを送信することと、なお、前記肯定応答メッセージは、前記第１のフレームの送信を止めるように動作できる；
を備えている、方法。
【請求項７】
各フレームは、送信について固定された時間インターバルを割り付けられ、
前記固定された時間インターバルが前記第１の時間について経過した後で、第２のフレームを受信することを開始すること、
をさらに備え、前記第２のフレームは、フレームシーケンスにおいて前記第１のフレームにすぐに続く、請求項６に記載の方法。
【請求項８】
前記第１のフレームの送信パワーを調整するために、前記送信機に対してパワー制御メッセージを送信すること、を更に備えている請求項６に記載の方法。
【請求項９】
各フレームは複数のシーケンシャルサブセグメントへとフォーマット化されており、前記連続的受信することは、
前記送信機からシーケンスで前記第１のフレームのサブセグメントを連続的に受信すること、
を備えている、請求項６に記載の方法。
【請求項１０】
前記肯定応答メッセージを送信することは、予め決定された時間においてのみ送信することをさらに備えている、請求項６に記載の方法。
【請求項１１】
前記肯定応答メッセージを送信することは、肯定応答マスクにしたがって送信することをさらに備えている、請求項１０に記載の方法。
【請求項１２】
前記肯定応答マスクは、前記肯定応答メッセージを送信するための完全サブセグメントよりも少ない持続時間を有しているインターバルを指定している、請求項１１に記載の方法。
【請求項１３】
前記送信機から前記肯定応答マスクを受信すること、をさらに備えている請求項１２に記載の方法。
【請求項１４】
前記肯定応答メッセージを送信することは、
肯定応答メッセージと関連づけられたウォルシュ関数を備えている肯定応答信号にノンゼロ利得を適用することと、
送信についてトラヒック信号と前記肯定応答信号を組み合わせることと、
を備えている、請求項６に記載の方法。
【請求項１５】
前記連続的に受信されたフレームは第１のチャネル上で受信されており、前記肯定応答メッセージを送信することは、第１の肯定応答チャネル上で行われており、前記方法は、
前記送信機から、第２のチャネル上で第２のフレームを連続的に受信することと；
全体の第２のフレームを受信する前に前記第２のフレームを復号することを試みることと；
前記第２のフレームを復号することを試みた結果に基づいて、成功フレーム復号を決定することと；
前記第２のフレームについての前記成功フレーム復号を決定することに基づいて、前記送信機に対して肯定応答メッセージを送信することと、なお前記肯定応答メッセージは、前記第２のフレームの送信を止めるように動作できる；
を備えている、請求項６に記載方法。
【請求項１６】
第２の連続的に送信されたフレームを第２の送信機から連続的に受信することと；
全体の第２のフレームを受信する前に前記第２のフレームを復号することを試みることと；
前記試みの結果に基いて前記第２のフレームの成功復号を決定することと；
前記第２のフレームの前記成功復号を決定することに基づいて、前記第２の送信機に対して肯定応答メッセージを送信することと、なお、前記肯定応答メッセージは、前記第２のフレームの残余部分の送信を終了するように動作でき、前記肯定応答メッセージを前記送信機に対して送信することは、共通の肯定応答チャネル上で少なくとも１つのビットを変調することを備えており、前記第２の送信機に対して前記肯定応答メッセージを送信することは、同じ共通肯定応答チャネル上で少なくとも１つの他のビットを変調することを備えている；
をさらに備えている請求項６に記載の方法。
【請求項１７】
単一のウォルシュ関数を使用して前記共通の肯定応答チャネルを拡散すること、をさらに備えている請求項１６に記載の方法。
【請求項１８】
前記送信機に対して送信される前記肯定応答メッセージに対応する前記少なくとも１つのビットは、前記第２の送信機に対して送信される前記肯定応答メッセージに対応する前記少なくとも1つの他のビットと、前記同じ共通肯定応答チャネル上で時間多重化されている、請求項１６に記載の方法。
【請求項１９】
前記肯定応答メッセージを送信することは、オン−オフキーイングを使用して、別個のウォルシュコード上で信号を変調することを備えている、請求項６に記載の方法。
【請求項２０】
前記肯定応答メッセージを送信することは、トラヒックチャネルの少なくとも１つのＡＣＫビットを変調することを備えており、前記少なくとも１つのＡＣＫビットは、前記トラヒックチャネル上で少なくとも１つのトラヒックビットをサプラントする、請求項６に記載の方法。
【請求項２１】
前記トラヒックチャネルにおける前記ＡＣＫビットの位置は、フレームあたりのベースで異なる、請求項２０に記載の方法。
【請求項２２】
通信チャネル上のシーケンシャルフレーム送信の早期終了のための装置であって、前記装置は、
第１のフレームを受信機に連続的に送信するように構成された送信機と、
前記第１のフレームを送信している間に、前記受信機から肯定応答メッセージを受信するように構成された受信機モジュールと、
前記肯定応答メッセージを受信した後で前記第１のフレームの送信を止めるように構成された前記送信機と、
を備えている装置。
【請求項２３】
各フレームは、送信について固定された時間インターバルを割り付けられ、前記送信機は、前記固定された時間インターバルが前記第１の時間について経過した後で、第２のフレームの送信を開始するようにさらに構成されており、前記第２のフレームは、フレームシーケンスにおいて前記第１のフレームにすぐに続く、請求項２２に記載の装置。
【請求項２４】
前記送信機は、前記受信機からパワー制御メッセージを受信することに応じて前記第１のフレームの送信パワーを調整するようにさらに構成されている、請求項２２に記載の装置。
【請求項２５】
各フレームは、複数のシーケンシャルサブセグメントへとフォーマット化されており、前記送信機は、
前記受信機に対しシーケンスで前記第１のフレームのサブセグメントを連続的に送信すること、
によって連続的に送信するように構成されている、請求項２２に記載の装置。
【請求項２６】
各フレームは、時間にわたってインタリーブされた、フラクショナルエンコードされたビットを備えている、請求項２２に記載の装置。
【請求項２７】
通信チャネル上のシーケンシャルフレーム送信の早期終了のための装置であって、前記装置は、
送信機から第１のフレームを連続的に受信するように構成された受信機と；
全体の第１のフレームを受信する前に、前記第１のフレームを復号することを試みるように、
前記試みの結果に基づいて、成功フレーム復号を決定するように、
構成されたプロセッサと；
前記成功フレーム復号を決定することに基づいて前記送信機に対して肯定応答メッセージを送信するように構成された送信機モジュールと、なお、前記肯定応答メッセージは、前記第１のフレームの送信を止めるように動作できる；
を備えている、装置。
【請求項２８】
各フレームは、送信について固定された時間インターバルを割り付けられ、前記プロセッサは、
前記固定された時間インターバルが前記第１のフレームについて経過した後で、第２のフレームを受信することを開始するように、
さらに構成されており、前記第２のフレームは、フレームシーケンスにおいて前記第１のフレームにすぐに続く、請求項２７に記載の装置。
【請求項２９】
前記送信機モジュールは、前記第１のフレームの送信パワーを調整するために、前記送信機に対してパワー制御メッセージを送信するようにさらに構成されている、請求項２７に記載の装置。
【請求項３０】
各フレームは複数のシーケンシャルサブセグメントへとフォーマット化されており、前記受信機は、
前記送信機からシーケンスで前記第１のフレームのサブセグメントを連続的に受信すること、
によって連続的に受信するように構成されている、請求項２７に記載の装置。
【請求項３１】
前記送信機モジュールは、予め決定された時間においてのみ前記肯定応答メッセージを送信するようにさらに構成されている、請求項３０に記載の装置。
【請求項３２】
前記送信機モジュールは、肯定応答マスクにしたがって前記肯定応答メッセージを送信するようにさらに構成されている、請求項３１に記載の装置。
【請求項３３】
前記肯定応答マスクは、前記肯定応答メッセージを送信するための完全サブセグメントよりも少ない持続時間を有しているインターバルを指定している、請求項３２に記載の装置。
【請求項３４】
前記受信機は、前記送信機から前記肯定応答マスクを受信するようにさらに構成されている、請求項３２に記載の装置。
【請求項３５】
前記送信機モジュールは、
肯定応答メッセージと関連づけられたウォルシュ関数を備えている肯定応答信号にノンゼロ利得を適用することと、
送信についてトラヒック信号と前記肯定応答信号を組み合わせることと、
によって前記肯定応答メッセージを送信するように構成されている、請求項３２に記載の装置。
【請求項３６】
前記連続的に受信されたフレームは第１のチャネル上で受信されており、前記送信機モジュールは、第１の肯定応答チャネル上で前記肯定応答メッセージを送信するようにさらに構成されており、前記受信機は、前記送信機から、第２のチャネル上で第２のフレームを連続的に受信するようにさらに構成されており、前記プロセッサは、全体の第２のフレームを受信する前に前記第２のフレームを復号することを試みるようにさらに構成されており、前記プロセッサは、前記第２のフレームを復号することを試みた結果に基いて、成功フレーム復号を決定するようにさらに構成されており、前記送信機モジュールは、前記第２のフレームについて前記成功フレーム復号を決定することに基づいて、前記送信機に対して肯定応答メッセージを送信するようにさらに構成されており、前記肯定応答メッセージは、前記第２のフレームの送信を止めるように動作できる、請求項２７に記載の装置。
【請求項３７】
前記受信機は、第２の連続的に送信されたフレームを第２の送信機から連続的に受信するようにさらに構成され、前記プロセッサは、全体の第２のフレームを受信する前に前記第２のフレームを復号することを試みるようにさらに構成され、前記プロセッサは、前記試みの結果に基いて前記第２のフレームの成功復号を決定するようにさらに構成され、前記送信機モジュールは、前記第２のフレームの前記成功復号を決定することに基づいて、前記第２の送信機に対して肯定応答メッセージを送信するようにさらに構成され、なお、前記肯定応答メッセージは、前記第２のフレームの残余部分の送信を終了するように動作でき、前記送信機モジュールは、共通の肯定応答チャネル上で少なくとも１つのビットを変調することによって前記送信機に対して前記肯定応答メッセージを送信するようにさらに構成されており、前記送信機モジュールは、同じ共通肯定応答チャネル上で少なくとも１つの他のビットを変調することによって、前記第２の送信機に対して前記肯定応答メッセージを送信するようにさらに構成されている、請求項２７に記載の装置。
【請求項３８】
前記送信機モジュールは、単一のウォルシュ関数を使用して前記共通の肯定応答チャネルを拡散するようにさらに構成されている、請求項３７に記載の装置。
【請求項３９】
前記送信機に対して送信される前記肯定応答メッセージに対応する前記少なくとも１つのビットは、前記第２の送信機に対して送信される前記肯定応答メッセージに対応する前記少なくとも１つの他のビットと、前記同じ共通肯定応答チャネル上で時間多重化されている、請求項３７に記載の装置。
【請求項４０】
前記送信機モジュールは、オン−オフキーイングを使用して、別個のウォルシュコード上で信号を変調することによって、肯定応答メッセージを送信するようにさらに構成されている、請求項２７に記載の装置。
【請求項４１】
前記送信機モジュールは、トラヒックチャネルの少なくとも１つのＡＣＫビットを変調することによって、肯定応答メッセージを送信するようにさらに構成されており、前記少なくとも１つのＡＣＫビットは、前記トラヒックチャネル上で少なくとも１つのトラヒックビットをサプラントする、請求項２７に記載の装置。
【請求項４２】
前記トラヒックチャネルにおける前記ＡＣＫビットの位置は、フレームあたりのベースで異なる、請求項４１に記載の装置。
【請求項４３】
通信チャネル上のフレーム送信の早期終了のための装置であって、前記装置は、
連続的に送信されたフレームを送信機から受信するための手段と、
全体のフレームを受信する前に前記送信機の送信を終了するための手段と、
を備えている、装置。
【請求項４４】
通信チャネル上のフレーム送信の早期終了のための装置であって、前記装置は、
第１のフレームを連続的に送信するための手段と、
受信機によって前記少なくとも１つの送信されたサブセグメントの成功復号に基いて、前記の連続的に送信することを終了するための手段と、
を備えている、装置。
【請求項４５】
通信チャネル上のフレーム送信の早期終了をコンピュータに実行させるための命令を保存するコンピュータ可読記憶媒体であって、前記媒体は、コンピュータに、
連続的に送信されたフレームを送信機から受信させる命令と；
全体の連続的に送信されたフレームを受信する前に、前記フレームを復号することを試みさせる命令と；
前記試みの結果に基づいて成功フレーム復号を決定させる命令と；
前記成功フレーム復号を決定することに基づいて前記送信機に対して肯定応答メッセージを送信させる命令と、なお、前記肯定応答メッセージは、前記連続的に送信されたフレームの残余部分の送信を終了するように動作できる；
を保存する、
コンピュータ可読記憶媒体。
【請求項４６】
通信チャネル上のフレーム送信の早期終了のためにコンピュータに実行させるための命令を保存しているコンピュータ可読記憶媒体であって、各フレームは、送信について固定された時間インターバルを割り付けられており、前記媒体は、コンピュータに、
第１のフレームを連続的に送信させる命令と、
前記第１のフレームを送信している間に、受信機から肯定応答メッセージを受信させる命令と、
前記肯定応答メッセージを受信した後で、前記第１のフレームの送信を止めさせる命令と、
前記固定された時間インターバルが前記第１のフレームについて経過した後で第２のフレームを送信することを開始させる命令と、
を保存する、
コンピュータ可読記憶媒体。
【請求項４７】
通信チャネル上のシーケンシャルフレーム送信の早期終了のための方法であって、前記方法は、
少なくとも１つの受信機に対して第１のフレームを連続的に送信することと、
前記第１のフレームを送信している間に、前記少なくとも１つの受信機から少なくとも１つの肯定応答メッセージを受信することと、
前記少なくとも１つの肯定応答メッセージの前記第１を受信した後で、前記第１のフレームの送信を止めることと、
を備えている、方法。
【請求項４８】
前記少なくとも１つの受信機は、第１の受信機と第２の受信機とを備えており、前記少なくとも１つの受信機から前記少なくとも１つの肯定応答メッセージを受信することは、前記第１の受信機からの肯定応答メッセージと第２の受信機からの肯定応答メッセージとを受信することを備えている、請求項４７に記載の方法。
【請求項４９】
通信チャネル上のシーケンシャルフレーム送信の早期終了のための方法であって、前記方法は、
少なくとも１つの送信機から第１のフレームを連続的に受信することと；
全体の第１のフレームを受信する前に、前記第１のフレームを復号することを試みること；
前記試みの結果に基づいて、成功フレーム復号を決定することと；
前記成功フレーム復号を決定することに基づいて、肯定応答メッセージを送信することと、なお、前記肯定応答メッセージは、前記少なくとも１つの送信機のそれぞれによって前記第１のフレームの送信を止めるように動作できる；
を備えている、方法。
【請求項５０】
前記少なくとも１つの送信機は、第１の送信機と第２の送信機とを備えており、前記肯定応答メッセージを送信することは、前記第１の送信機と前記第２の送信機の両方に対して、前記肯定応答メッセージを送信することを備えている、請求項４９に記載の方法。
【発明の詳細な説明】
【関連出願】
【０００１】
本願は、２００８年６月９日に出願され「ワイヤレス通信においてキャパシティを増大させるための装置及び方法(Apparatus and Methods for Increasing Capacity in Wireless Communications)」と題された米国仮出願番号第６１／０６０，１１９号と、２００８年６月１０日に出願され「ワイヤレス通信においてキャパシティを増大させるための装置及び方法(Apparatus and Methods for Increasing Capacity in Wireless Communications)」と題された米国仮出願番号第６１／０６０，４０８号と、２００８年６月１３日に出願され「ワイヤレス通信においてキャパシティを増大させるための装置及び方法(Apparatus and Methods for Increasing Capacity in Wireless Communications)」と題された米国仮出願番号第６１／０６１，５４６号の優先権を主張し、それらの内容は、その全体において参照によってここによって組み込まれている。
【０００２】
本願は、２００９年２月１９日に出願され「フレーム終了(Frame Termination)」と題された米国出願番号第１２／３８９，２１１号の一部継続出願であり、そしてそれは２００８年２月２０日に出願された米国仮特許出願番号第６１／０３０，２１５号の優先権を主張しており、それらの両方は、本願の譲受人に譲渡されており、それらの内容は、その全体において参照によりここによって組み込まれている。
【分野】
【０００３】
本発明は、一般的には、デジタル通信(digital communications)に関し、より具体的には、送信パワー(transmission power)を縮小し、ワイヤレスデジタル通信システムのキャパシティを改善するための技術に関する。
【背景】
【０００４】
ワイヤレス通信システムは、ボイス、パケットデータ等のような様々なタイプの通信を提供するように広く展開されている。これらのシステムは、符号分割多元接続（ＣＤＭＡ）、時分割多元接続（ＴＤＭＡ）、周波数分割多元接続（ＦＤＭＡ）、あるいは他の多元接続性技術に基づいていてもよい。例えば、そのようなシステムは、第３世代パートナーシッププロジェクト（３ｇｐｐ２または「ｃｄｍａ２０００」）、第３世代パートナーシップ（３ｇｐｐ、あるいは「Ｗ−ＣＤＭＡ」）あるいはロングタームエボリューション（「ＬＴＥ」）のような標準規格にあわせることができる。そのような通信システムの設計では、利用可能なリソースを与えられたときに、キャパシティ、または、システムが信頼性を持ってサポートすることができるユーザの数、を最大化にすることが望ましい。いくつかの要因は、ワイヤレス通信システムのキャパシティに影響を与え、それらのうちのいくつかが下記に述べられている。
【０００５】
例えば、ボイス通信システムでは、ボコーダは、複数の可変符号化レート(a plurality of variable encoding rates)のうちの１つを使用してボイス送信を符号化するためにしばしば利用される。符号化レートは、例えば、特定の時間インターバルの間に検出されるスピーチアクティビティの量(amount of speech activity)に基づいて、選択されることができる。ｃｄｍａ２０００ワイヤレス通信システム用のボコーダでは、例えば、スピーチ送信は、フルレート(full rate)（ＦＲ）、１／２レート(half rate)（ＨＲ）、１／４レート(quarter rate)（ＱＲ）、または１／８レート(eighth rate)（ＥＲ）を使用して送信されることができ、フルレートフレームは、最大数のトラヒックビットを含んでおり、そして、１／８レートフレームは、最小数のトラヒックビットを含んでいる。１／８レートフレームは、サイレンスの期間の間に通常送信されており、一般的にボイス通信システムによって達成されることができる最低レート送信に対応する。
【０００６】
１／８レートフレームがｃｄｍａ２０００システムにおいて縮小されたレート送信を表わすが、１／８レートフレームは、今もなお、トラヒックビットのノンゼロ数を含む。一定インターバルの間、例えばスピーチアクティビティがなく、バックグラウンドノイズが一定を保つ相対的に長い期間、１／８レートフレーム送信さえも、システムにおける送信パワーの有意水準(significant level)を不必要に消費する可能性がある。このことは、他のユーザに対して引き起こされた干渉のレベルを上げ、その結果、システムキャパシティを望ましくなく減少させる。
【０００７】
１／８レートフレーム送信のような最小レートフレーム送信が提供することができるものより下にボイス通信システムの送信レートをさらに減らす技術を提供することは望ましいだろう。
【０００８】
ワイヤレス通信システムの別の態様では、２ユニット間の送信は、受信信号におけるエラーに対してガードするために冗長度(degree of redundancy)をしばしば利用する。例えば、ｃｄｍａ２０００ワイヤレス通信システムにおける基地局（ＢＳ）からモバイル局（ＭＳ）までの順方向リンク（ＦＬ）送信において、フラクショナルレートシンボル符号化(fractional-rate symbol encoding)及びシンボル繰り返し(symbol repetition)のような冗長性が利用されることができる。ｃｄｍａ２０００システムでは、符号化されたシンボルは、パワー制御グループ(power control groups)（ＰＣＧｓ）として知られたサブセグメントへとグループ分けされ、無線で送信され、なお、固定された数のＰＣＧは、フレームを定義する。
【０００９】
ｃｄｍａ２０００で利用されるもののようなシンボル冗長性技術はエラーがある状態における送信信号の正確な回復(recovery)を可能にするが、そのような技術はまた、信号受信状態がよいときには全体的なシステム送信パワーにおけるプレミアム(premium)を表わし、そしてそれはまた、システムキャパシティを望ましくなく減少させる可能性がある。
【００１０】
例えば、そのフレームと関連づけられた情報を受信機が正確に回復したということを決定されるときにフレームの送信を終了する効率的な技術を提供することはさらに望ましく、それによって、送信パワーを節約しシステムキャパシティを増大させる。そのような技術を適応させるために、変形されたパワー制御スキームを提供することはさらに望ましいであろう。
【発明の概要】
【００１１】
本開示の態様は、通信チャネル上のシーケンシャルフレーム送信(sequential frame transmission)の早期終了(early termination)のための方法を提供し、方法は、受信機に対して第１のフレームを連続的に送信することと、第１のフレームを送信している間に受信機から肯定応答メッセージを受信することと、肯定応答メッセージを受信した後で第１のフレームの送信を止めることと、を備える。
【００１２】
本開示の別の態様は、通信チャネル上のシーケンシャルフレーム送信の早期終了のための方法を提供しており、方法は、送信機から第１のフレームを連続的に受信することと；全体の第１のフレーム(the entire first frame)を受信する前に、第１のフレームを復号することを試みること；試みの結果に基づいて、成功フレーム復号を決定することと；成功フレーム復号を決定することに基づいて、送信機に対して肯定応答メッセージを送信することと、なお、肯定応答メッセージは、第１のフレームの送信を止めるように動作できる；を備える。
【００１３】
さらに本開示の別の態様では、通信チャネル上のシーケンシャルフレーム送信の早期終了のための装置を提供しており、装置は、第１のフレームを受信機に連続的に送信するように構成された送信機と、第１のフレームを送信している間に、受信機から肯定応答メッセージを受信するように構成された受信機モジュールと、肯定応答メッセージを受信した後で第１のフレームの送信を止めるように構成された送信機と、を備える。
【００１４】
さらに本開示の別の態様では、通信チャネル上のシーケンシャルフレーム送信の早期終了のための装置を提供しており、装置は、送信機から第１のフレームを連続的に受信するように構成された受信機と；全体の第１のフレームを受信する前に、第１のフレームを復号することを試みるように、その試みの結果に基づいて、成功フレーム復号を決定するように、構成されたプロセッサと；成功フレーム復号を決定することに基づいて、送信機に対して肯定応答メッセージを送信するように構成された送信機モジュールと、なお、肯定応答メッセージは、第１のフレームの送信を止めるように動作できる；を備える。
【００１５】
さらに本開示の別の態様では、通信チャネル上のフレーム送信の早期終了のための装置を提供しており、装置は、連続的に送信されたフレームを送信機から受信するための手段と、全体のフレームを受信する前に送信機の送信を終了するための手段と、を備えている。
【００１６】
さらに本開示の別の態様では、通信チャネル上のフレーム送信の早期終了のための装置を提供しており、装置は、第１のフレームを連続的に送信するための手段と、受信機によって少なくとも１つの送信されたサブセグメントの成功復号に基いて連続的に送信することを終了するための手段と、を備えている。
【００１７】
本開示の別の態様は、通信チャネル上のフレーム送信の早期終了をコンピュータに実行させるための命令(instructions)を保存するコンピュータ可読記憶媒体(computer-readable medium)を提供しており、媒体は、コンピュータに、連続的に送信されたフレームを送信機から受信させる命令と；全体の連続的に送信されたフレームを受信する前にフレームを復号することを試みさせる命令と；その試みの結果に基づいて成功フレーム復号を決定させる命令と；成功フレーム復号を決定することに基づいて送信機に対して肯定応答メッセージを送信させる命令と、なお、肯定応答メッセージは、連続的に送信されたフレームの残余部分の送信を終了するように動作できる；を保存している。
【００１８】
さらに、本開示の別の態様は、通信チャネル上のフレーム送信の早期終了のためにコンピュータに実行させるための命令を保存しているコンピュータ可読記憶媒体を提供しており、各フレームは、送信について固定された時間インターバル(fixed time interval)を割り付けられており、その媒体は、コンピュータに、第１のフレームを連続的に送信させる命令と、第１のフレームを送信している間に、受信機から肯定応答メッセージを受信させる命令と、肯定応答メッセージを受信した後で第１のフレームの送信を止めさせる命令と、固定された時間インターバルが第１のフレームについて経過した後で第２のフレームを送信することを開始させる命令と、を保存している。
【００１９】
さらに本開示の別の態様では、通信チャネル上のシーケンシャルフレーム送信の早期終了のための方法を提供しており、その方法は、少なくとも１つの受信機に対して第１のフレームを連続的に送信することと、第１のフレームを送信している間に少なくとも１つの受信機から少なくとも１つの肯定応答メッセージを受信することと、少なくとも１つの肯定応答メッセージのうちの第１のもの(the first of the at least one acknowledgement message)を受信した後で第１のフレームの送信を止めることと、を備える。
【００２０】
さらに本開示の別の態様では、通信チャネル上のシーケンシャルフレーム送信の早期終了のための方法を提供しており、方法は、少なくとも１つの送信機から第１のフレームを連続的に受信することと；全体の第１のフレームを受信する前に、第１のフレームを復号することを試みること；その試みの結果に基づいて、成功フレーム復号を決定することと；成功フレーム復号を決定することに基づいて肯定応答メッセージを送信することと、なお、肯定応答メッセージは、少なくとも１つの送信機のそれぞれによって第１のフレームの送信を止めるように動作できる；を備える。
【図面の簡単な説明】
【００２１】
【図１】図１は、ワイヤレス通信システムの従来技術を図示する。
【図２】図２は、ボイスのための信号送信パスの従来技術を図示する。
【図３】図３は、本開示にしたがったボイスのための信号送信パスの例示的な実施形態を図示する。
【図４】図４は、システマティックなブランキングモジュールによって適用されることができるアルゴリズムの例示的な実施形態を図示する。
【図５】図５及び図５Ａは、ボコーダとシステマティックブランキングモジュールによって処理されるような例示的なフレーム送信シーケンスを図示する。
【図５Ａ】図５及び図５Ａは、ボコーダとシステマティックブランキングモジュールによって処理されるような例示的なフレーム送信シーケンスを図示する。
【図６】図６は、図３で示されているようなボイス送信パスによって生成されるシステマティックブランキングされた信号を処理するための受信アルゴリズムの例示的な実施形態を図示する。
【図７】図７は、本開示にしたがったボイスのための信号送信パスの代替の例示的な実施形態を図示する。
【図８】図８は、システマティックブランキングモジュールによって適用されることができるアルゴリズムの例示的な実施形態を図示する。
【図９】図９及び図９Ａは、ボコーダとシステマティックブランキングモジュールによって処理されるような例示的なフレーム送信シーケンスを図示する。
【図９Ａ】図９及び図９Ａは、ボコーダとシステマティックブランキングモジュールによって処理されるような例示的なフレーム送信シーケンスを図示する。
【図１０】図１０は、本開示にしたがったシステマティックブランキングのための方法の例示的な実施形態を図示する。
【図１１】図１１は、本開示にしたがったパイロットゲーティングスキームの例示的な実施形態を図示する。
【図１２】図１２は、本開示にしたがった順方向リンク（ＦＬ）送信のパワーを制御するための縮小されたレートパワー制御の例示的な実施形態を図示する。
【図１３】図１３は、本開示にしたがった逆方向リンク（ＲＬ）連続パイロット送信のパワーを制御するための縮小されたレートパワー制御スキームの例示的な実施形態を図示する。
【図１４】図１４は、本開示にしたがった逆方向リンク（ＲＬ）ゲートパイロット送信のパワーを制御するための縮小されたレートパワー制御スキームの例示的な実施形態を図示する。
【図１５】図１５は、本開示にしたがったパワー制御方法を図示する。
【図１６】図１６は、通信システムにおける送信機において情報ビットを処理するための、従来技術のフレーム処理スキームを図示する。
【図１６Ａ】
【図１７】図１７は、ｃｄｍａ２０００のための従来技術の順方向リンクシグナリングスキームと関連づけられたタイミング図を図示する。
【図１８】図１８は、受信シンボルｙから、推定された情報ビットｂ’を回復するための従来技術の方法を図示する。
【図１９】図１９は、ｃｄｍａ２０００標準規格にしたがって動作しているシステムのための順方向リンク送信の早期終了(early termination)のためのスキームの例示的な実施形態を図示する。
【図２０】図２０は、本開示にしたがったサブセグメントあたりの復号スキーム(per-sub-segment decoding)の例示的な実施形態を図示する。
【図２１】図２１は、本開示にしたがった順方向リンクシンボルパスの例示的な実施形態と、ｃｄｍａ２０００標準規格にしたがった無線設定４（ＲＣ４; Radio Configuration 4）についての従来技術の順方向リンクシンボルパスのインプリメンテーションを図示する。
【図２２】図２２は、早期終了モジュレータのための逆方向リンク上でＡＣＫメッセージをシグナリングするために使用されるシグナリングスキームの例示的な実施形態を図示する。
【図２３】図２３は、ｃｄｍａ２０００標準規格にしたがって動作しているシステムのための逆方向リンク送信の早期終了についてのスキームの例示的な実施形態を図示する。
【図２４】図２４は、本開示にしたがった逆方向リンクシンボルパスの例示的な実施形態と、従来技術の逆方向リンクシンボルパスのインプリメンテーションを図示する。
【図２５】図２５は、順方向基本チャネル（Ｆ−ＦＣＨ）及び／または最大２つの順方向補足チャネル（Ｆ−ＳＣＨ１及びＦ−ＳＣＨ２）の早期終了について、逆方向リンク上でＡＣＫメッセージをシグナリングするために使用されるシグナリングスキームの例示的な実施形態を図示する。
【図２６】図２６は、本開示にしたがった方法の例示的な実施形態を図示する。
【詳細な説明】
【００２２】
添付図面に関連した下記の詳細の説明は、本発明の例示的な実施形態の説明として意図されており、本発明が実施されることができる唯一つの例示的な実施形態を表わすことを意図していない。本明細書の全体にわたって使用されている用語「例示的な(exemplary)」は、「例(example)、インスタンス(instance)、または例証(illustration)として機能している」を意味しており、他の例示的な実施形態よりも好ましいまたは有利であるとして、必ずしも解釈されるべきではない。詳細な説明は、発明の例示的な実施形態の完全な理解を提供するために具体的な詳細を含む。本発明の例示的な実施形態は、これらの具体的な詳細なしで実施されることができるということは当業者にとって明らかであろう。他の例では、よく知られたストラクチャ及びデバイスは、ここにおいて提示された例示的な実施形態の新規性を不明瞭にすることを回避するために、ブロック図の形で示されている。
【００２３】
本明細書及び特許請求の範囲では、エレメントが別のエレメントに対して「接続されている(connected to)」または「結合されている(coupled to)」ものとして言及され、そして、それは、他のエレメントに対して、直接接続されるまたは結合されている、または、介在エレメントが存在しうる、ということが理解されるであろう。対照的に、エレメントが別のエレメントに対して「直接接続されている(directly connected)」、または、「直接結合されている(directly coupled)」と言及されるときには介在エレメントはない。
【００２４】
通信システムは、シングルキャリア周波数、または、マルチプルキャリア周波数を使用することができる。図１を参照すると、ワイヤレスセルラ通信システム１００では、参照番号１０２Ａ〜１０２Ｇはセルを指し、参照番号１６０Ａ〜１６０Ｇは基地局を指し、参照番号１０６Ａ〜１０６Ｇは、アクセス端末（ＡＴ）を指す。通信チャネルは、アクセスネットワーク（ＡＮ）１６０からアクセス端末（ＡＴ）１６０までの送信のための順方向リンク（ＦＬ）（ダウンリンクとしても知られている）と、ＡＴ１０６からＡＮ１６０までの送信のための逆方向リンク（ＲＬ）（アップリンクとしても知られている）を含む。ＡＴ１０６は、遠隔局、モバイル局、または加入者局としても知られている。アクセス端末（ＡＴ）１０６は、モバイル、または、静止であってもよい。各リンクは、異なる数のキャリア周波数を組み込むことができる。更に、アクセス端末１０６は、例えば光ファイバーあるいは同軸ケーブルを使用して、ワイヤレスチャネルを通じて、または、ワイヤードチャネルを通じて、通信するいずれのデータデバイスであってもよい。アクセス端末１０６は、さらに、限定されてはいないが、ＰＣカード、コンパクトフラッシュ（登録商標）、外部モデムまたは内在モデム、あるいはワイヤレスまたはワイヤーライン電話を含んでいる複数のタイプのデバイスのうちのいずれであることができる。
【００２５】
最新の通信システムは、複数ユーザが共通の通信媒体にアクセスすることを可能にするように設計されている。時分割多元接続（ＴＤＭＡ）、周波数分割多元接続（ＦＤＭＡ）、空間分割多元接続、偏光分割多元接続(polarization division multiple-access)、符号分割多元接続（ＣＤＭＡ）、及び他の多元接続技術、のような多数の多元接続技術は当技術分野において知られている。多元接続のコンセプトは、マルチプルユーザが共通の通信リンクにアクセスすることを可能にするチャネル割り付け方法である。チャネル割り付けは、特定マルチアクセス技術によって、様々な形態を取ることができる。例として、ＦＤＭＡシステムでは、合計周波数スペクトラムは、複数のより小さなサブバンドに分割され、各ユーザは、通信リンクにアクセスするために、自身のサブバンドを与えられる。代替的に、ＴＤＭＡシステムでは、各ユーザは、タイムスロットを周期的に繰り返している間に、全体の周波数スペクトラムを与えられる。ＣＤＭＡシステムでは、各ユーザは、時間のすべてについて全体の周波数スペクトラムを与えられるが、信号の使用を通じてその送信を区別する。
【００２６】
本開示のある例示的な実施形態はｃｄｍａ２０００標準規格にしたがったオペレーションについて下記で記載されているが、当業者は、本技術が他のデジタル通信システムに対して容易に適用されることができるということを理解するであろう。例えば、本開示の技術はまた、Ｗ−ＣＤＭＡ（または３ｇｐｐ）ワイヤレス通信標準規格、及び／または、いずれの他の通信標準規格、に基づいて、システムに適用されることができる。そのような代替の例示的な実施形態は、本開示の範囲内にあるように熟考される。
【００２７】
図２は、ボイスのための従来技術の信号送信パス２００を図示する。図２では、ボイス信号２００ａはボコーダ２１０へ入力され、そして、それは、送信のためのスピーチ信号を符号化する。ボコーダ２１０によって出力されたボイスフレーム２１０ａは、任意の時間に、ボイス信号２００ａのスピーチコンテンツによって、複数のレートのうちの１つを選択することができる。図２では、複数のレートは、フルレート（ＦＲ）、および１／２レート（ＨＲ）、および１／４レート（ＱＲ）、そして１／８レート（ＥＲ）を含む。ボイスフレーム２１０ａは、物理層処理モジュール２２０に対して供給され、そしてそれは、システムの物理層プロトコルにしたがった送信のためにボイスフレームデータを準備する。当業者は、そのようなプロトコルは、データを例えば符号化すること、繰り返すこと、パンクチャリングすること、インタリーブすること、及び／または、変調すること、を含むことができるということを理解するであろう。物理層処理モジュール２２０の出力は、送信のためにＴＸブロック２３０に対して供給される。ＴＸブロック２３０は、キャリア周波数に信号をアップコンバートすることとアンテナ上で送信のために信号を増幅することのような無線周波数（ＲＦ）オペレーションを実行することができる（図示されず）。
【００２８】
一般的に、任意の時間にボイス信号２００ａを符号化するためにボコーダ２１０によって選択されるボイスフレーム２１０ａのレートは、ボイス信号２００ａにおいて検出されるスピーチアクティビティのレベルによって決まる。例えば、フルレート（ＦＲ）は、ボイス信号２００ａがアクティブスピーチを含む間にフレームについて選択されることができるが、１／８レート（ＥＲ）は、ボイス信号２００ａがサイレンスを含む間にフレームについて選択されることができる。そのようなサイレンス期間の間に、ＥＲフレームは、サイレンスと関連づけられた「バックグラウンドノイズ(background noise)」を特徴づけるパラメータを含むことができる。ＥＲフレームはＦＲフレームよりも著しく少数のビット(significantly fewer bits)を含むが、サイレンス期間が通常の会話の間にしばしば生じる可能性があり、その結果、ＥＲフレームを送信することに専念した全体的な送信帯域幅が有効(significant)であるようにする。
【００２９】
受信機にボイス信号２００ａを伝達するのに必要な送信帯域幅をさらに縮小することは望ましいだろう。
【００３０】
図３は、本開示にしたがったボイスのための信号送信パス３００の例示的な実施形態を図示する。図３では、ボイス信号２００ａは、ボコーダ３１０へ入力され、ボコーダ３１０は、送信のためのボイスフレーム３１０ａを生成する。ボイスフレーム３１０ａは、フルレート（ＦＲ）、および１／２レート（ＨＲ）、および１／４レート（ＱＲ）、そして１／８レート（ＥＲ）、そしてクリティカル１／８レート(Critical eighth rate)（ＥＲ−Ｃ）を含んでいる複数のレートのうちの１つを採択する。例示的な実施形態では、「クリティカル」１／８レートフレームとしての１／８レートフレームの指定が、例えばサイレンスインターバルにおいて検出されたバックグラウンドノイズにおける変更に対応するパラメータを含んでいるそれら１／８レートフレームについてボコーダ３１０によってなされる。
【００３１】
ボイスフレーム３１０ａはシステマティックブランキングモジュール３１５に供給され、そしてそれは、代わりに、物理層処理モジュール２２０に対して、処理されたボイスフレーム３１５ａを供給する。下記でさらに説明されているように、システマティックブランキングモジュール３１５は、ボコーダ出力を選択的に「ブランキングすること(blanking)」によって、すなわち、１／８レートフレームのデータレートよりも少ないデータレートを有するヌルレート（ＮＲ）フレームとボコーダ出力３１０ａのあるフレームを置き換えることによって、ボコーダ出力３１０ａの送信ビットレートを最小化するように構成されている。例示的な実施形態では、ＮＲフレームは、ゼロトラヒックコンテンツ、すなわち０ビット／秒（ｂｐｓ）のトラヒックビットレートを有することができる。
【００３２】
図４は、システマティックブランキングモジュール３１５によって適用されることができるアルゴリズムの例示的な実施形態４００を図示する。
【００３３】
ステップ４１０で、システマティックブランキングモジュール３１５はボコーダ３１０からフレーム３１０ａを受信する。
【００３４】
ステップ４２０で、フレーム３１０ａは、それがＦＲ、ＨＲ、ＱＲあるいはＥＲ−Ｃであるかを決定するために評価される。そのようなレートは、送信にクリティカルであると考えられ、クリティカルフレームタイプ(critical frame types)と呼ばれる。フレーム３１０ａがこれらのクリティカルレートのうちの１つを含む場合には、フレーム３１０ａは、送信のために、物理層処理モジュール２２０に対して直接供給される。そうでない場合には、フレームは非クリティカルレートを含むように考えられ、アルゴリズムはステップ４３０に進む。
【００３５】
「クリティカル(critical)」としてＦＲ、ＨＲ、ＱＲおよびＥＲ−Ｃの例示的な指定(designation)は説明のためだけであり、これらの実施形態のみに、本開示の範囲を制限することを意味しておらず、このようなフレームタイプは、クリティカルとして指定されるということに留意すべきである。代替の例示的な実施形態では、他のセットのフレームタイプは、システマティックブランキングモジュールによる送信についてクリティカルと指定されることができる。そのような代替的な例示的な実施形態は、本開示の範囲内にあることが熟考される。
【００３６】
ステップ４３０で、アルゴリズムは、現在のフレームが送信について保証されるかを決定するために送信されるべき現在のフレームのフレーム番号(frame number)を評価する。例示的な実施形態では、保証された送信はノンゼロレート（例、非ＮＲ）送信を含むことができる。例示的な実施形態では、フレーム番号は、各連続フレームについて連続的に繰り返される各フレームに対して割り付けられた数であってもよい。示された例示的な実施形態では、現在のフレーム番号ＦｒａｍｅＮｕｍｂｅｒは、現在のフレームオフセットＦｒａｍｅＯｆｆｓｅｔに加えられ、結果（ＦｒａｍｅＮｕｍｂｅｒ＋ＦｒａｍｅＯｆｆｓｅｔ）は、ノンブランキングインターバルパラメータＮでモジュローオペレーション（ｍｏｄ）に適用される。モジュローオペレーションの結果が０である場合には、アルゴリズムはステップ４４０に進む。そうでなければ、アルゴリズムはステップ４５０に進む。
【００３７】
当業者は、どのフレームが送信について保証されるべきかを規定するために、ステップ４３０で示された具体的な評価以外の技術が容易に適用されうるということを理解するであろう。そのような代替技術は、例えば、現在のフレーム番号または現在のフレームオフセット以外のパラメータ、または、図示されたモジュローオペレーション以外のオペレーション、を利用することができる。
【００３８】
ステップ４５０で、システマティックブランキングモジュール３１５は、送信のために、物理層処理モジュール２２０に対し、ヌルレート（ＮＲ）フレームを供給する。例示的な実施形態では、ヌルレートフレームは、０ｂｐｓ（ビット／秒）のトラヒックデータレートを有しており、したがって、最小シグナリング帯域幅を消費する。ヌルレートフレームの送信の後で、アルゴリズムは、ボコーダ３１０から次のボイスフレーム３１０ａを受信するために、ステップ４１０に戻る。
【００３９】
上記の説明に基づいて、当業者は、ノンブランキングインターバルＮが非クリティカルフレームが送信される頻度を制御するということを理解するであろう、Ｎ＝１は、すべての非クリティカルフレームの送信に対応し、より大きな値Ｎは、非クリティカルフレームの頻度の少ない送信(less frequent transmissions of non-critical frames)に対応する。例示的な実施形態では、Ｎは、デフォルトで値１、４を、例えば外部シグナリング(external signaling)（図示されず）によって規定される他のリザーブされた値または８を採択することができる。
【００４０】
図５及び図５Ａは、ボコーダ３１０とシステマティックブランキングモジュール３１５によって処理されているように、それぞれ、例示的なフレーム送信シーケンス３１０ａ＊及び３１５ａ＊を図示する。
【００４１】
図５では、フレームのシーケンス３１０ａ＊は、「ＥＲ」とラベル付けされた１／８レートフレームと、「ＥＲ−Ｃ」とラベル付けされた１／８レートクリティカルフレームを含む。そのようなフレームのシーケンスは、ボイス会話の間、例えば会話の一方のサイレンス期間に生じることができる。
【００４２】
図５Ａでは、フレーム送信シーケンス３１５ａ＊は、送信シーケンス３１０ａ＊に４００のような選択的ブランキングアルゴリズムを適用する結果に対応しており、ここにおいては、ノンブランキングインターバルＮ＝４が使用される。図５Ａでは、フレームのシーケンス３１５ａは、１／８レートフレームＥＲとヌルレートフレームＮＲを含む。ＦｒａｍｅＮｕｍ０は、ボコーダ３１０から直接受信されたものとして、すなわちＥＲフレームとして、送信される。ＦｒａｍｅＮｕｍ１及び３は、ノンブランキングインターバルＮ＝４にしたがってＮＲフレームとして送信される。ＦｒａｍｅＮｕｍ２は、クリティカル１／８レートフレームＥＲ−Ｃとしてボコーダによって指定されており、ＥＲフレームとして送信される。示されているように、ＦｒａｍｅＮｕｍ４〜１３は、同様に処理される。図５で示されているように、（ＦｒａｍｅＮｕｍ＋ＦｒａｍｅＯｆｆｓｅｔ ｍｏｄＮ）＝０に対応するフレームはマークされている。
【００４３】
図６は、図３で示される３１５のようなシステマティックブランキングモジュールを利用するボイス送信信号パスによって生成される信号を処理するための受信アルゴリズム６００の例示的な実施形態を図示する。
【００４４】
図６では、ステップ６１０で、送信された信号が受信され（ＲＸ）、例えば図３で示されるようなＴＸオペレーション２３０に補完的なオペレーションを使用して、処理される。そのようなＲＸオペレーションは、例えばＲＦ増幅、周波数ダウンコンバージョン、フィルタリング等を含むことができる。
【００４５】
ステップ６２０で、物理層受信（ＲＸ）処理は、例えば図３で示される物理層ＴＸオペレーション２２０に補完的なオペレーション、を使用して実行される。そのような物理層受信処理は、例えば復号、デインタリービング、シンボルコンバイニング等を含むことができる。
【００４６】
ステップ６３０で、アルゴリズム６００は、現在の受信フレームがＮＲフレームであるかどうかを評価する。「はい」である場合には、アルゴリズムは、ＮＲフレームについて処理されるべきトラヒックデータがないため、次のフレームを受信し始めるために、ステップ６１０に戻る。「いいえ」である場合、アルゴリズムはステップ６４０に進む。
【００４７】
当業者は、現在の受信フレームがＮＲフレームであるかを評価するために、様々な技術が使用されることができるということを認識するであろう。例示的な実施形態では、エネルギー評価アルゴリズムは、受信フレームのトラヒック部分のエネルギーを検出するために利用されることができる。例えば、受信フレームのトラヒック部分に対応するエネルギーは測定され、そして、適切なスケーリングされたエネルギー閾値と比較されることができる。測定されたエネルギーが閾値未満である場合には、例示的な実施形態では、信号がＮＲフレームのトラヒック部分において送信機によって送信されることを期待されていないため、ＮＲフレームが宣言されうる。そのようなエネルギー評価アルゴリズムはまた、ＮＲフレームの検出をさらに助けるために送信機によって使用される、システマティックブランキングアルゴリズム及びノンブランキングインターバルＮの知識(knowledge)を活用することができる。
【００４８】
可能性のあるＮＲ検出アルゴリズムの先行する説明は、説明の目的のためだけに与えられており、いずれの特定のＮＲ検出アルゴリズムに本開示の範囲を制限することを意味していないということに留意されたい。
【００４９】
ステップ６４０で、受信された非ＮＲフレームのパラメータは、受信機において外部ループパワー制御(outer loop power control)（ＯＬＰＣ）アルゴリズムを更新するために使用されることができる。例示的な実施形態では、受信された非ＮＲフレームのパラメータは、例えばフレーム品質インジケータ（ＦＱＩ）、例えば受信されたフレームについてのＣＲＣが品質チェックを通ったかどうかという結果を含むことができる。当業者は、例えば受信フレームのための適切な信号対干渉比（ＳＩＲ）セットポイントをコンピュートするために、ＯＬＰＣアルゴリズムが使用されることができ、そしてそれは、送信されたボイスフレームについて送信機と受信機との間でパワー制御フィードバックメカニズムをガイドするために使用されることができる、ということを理解するであろう。ＮＲフレームから導き出された品質チェック結果を除外することによって、ＯＬＰＣアルゴリズムは、例えばトラヒック部分について有意に送信されたエネルギーを有するフレームのみ、を使用して、正確に更新されることができる。
【００５０】
ステップ６５０で、ボイスフレームはボイス出力６５０ａに復号されることができ、アルゴリズム６００は、次のフレームを受信するためにステップ６１０に戻る。
【００５１】
図７は、本開示にしたがってボイスのための信号送信パス７００の代替的な例示的実施形態を図示する。図７では、ボイス信号２００ａは、ボコーダ７１０へ入力され、ボコーダ７１０は、送信のためのボイスフレーム７１０ａを生成する。ボイスフレーム７１０ａは、フルレート（ＦＲ）、および１／２レート（ＨＲ）、および１／４レート（ＱＲ）、そして１／８レート（ＥＲ）、そして、ボコーダヌルレート(vocoder null rate)（ＶＮＲ）を含んでいる複数のレートのうちの１つを採択することができる。ゼロレートボコーダフレーム(zero-rate vocoder rate)または空ボコーダフレーム(empty vocoder frame)としても知られるＶＮＲフレームは、ボコーダによって送信されるべき新しい情報がないとき、ボコーダ７１０によって生成される。例示的な実施形態では、ＶＮＲフレームは単に、データを含んでいないブランクフレーム(blank frame)であってもよい。
【００５２】
ボイスフレーム７１０ａはシステマティックブランキングモジュール７１５に供給されており、そしてそれは代わりに、物理層処理モジュール２２０に処理されたボイスフレーム７１５ａを供給する。ここにおいて下記でさらに説明されるように、システマティックブランキングモジュール７１５は、データコンテンツを少し有する、または、データコンテンツを有さないヌルレート（ＮＲ）またはヌルレートインジケータ（ＮＲＩＤ）フレームを備えた、ボコーダ出力７１０ａのあるフレームを選択的に置き換えることによって、ボコーダ出力７１０ａの送信ビットレートを最小化するように構成されている。
【００５３】
図８は、システマティックブランキングモジュール７１５によって適用されることができるアルゴリズムの例示的な実施形態８００を図示する。
【００５４】
ステップ８１０で、システマティックブランキングモジュール７１５は、ボコーダ７１０からフレーム７１０ａを受信する。
【００５５】
ステップ８２０で、フレーム７１０ａは、それがＦＲ、ＨＲ、ＱＲまたはＥＲかを決定するために評価される。そのようなレートは、送信にクリティカルであると考えられる。フレーム７１０ａがこれらのクリティカルレートのうちの１つを含んでいる場合、フレーム７１０ａは、ステップ８４０で、送信のために物理層処理モジュール２２０に供給される。そうでない場合には、フレームは、非クリティカルレートを含むように考えられ、アルゴリズムはステップ８３０に進む。
【００５６】
ステップ８３０で、アルゴリズムは、ノンゼロ送信が行われるべきかを決定するために送信の現在のフレーム番号を評価する。示される例示的な実施形態では、現在のフレーム番号ＦｒａｍｅＮｕｍｂｅｒは、現在のフレームオフセットＦｒａｍｅＯｆｆｓｅｔに加えられ、結果（ＦｒａｍｅＮｕｍｂｅｒ＋ＦｒａｍｅＯｆｆｓｅｔ）は、ノンブランキングインターバルパラメータＮでモジュローオペレーション（ｍｏｄ）に適用される。モジュローオペレーションの結果が０である場合には、アルゴリズムはステップ８３５に進む。そうでない場合には、アルゴリズムはステップ８５０に進む。
【００５７】
ステップ８３５で、ヌルレートインジケータ（ＮＲＩＤ）フレームは送信されることができる。そのようなフレームは、新しい情報を含んでいないものとして受信機に認識可能な予め決定されたフレームまたはインジケータに対応することができ、そしてそれは、ヌルトラヒックデータを備えているフレームとも呼ばれる。ヌルトラヒックデータは、受信ボコーダが使用しないビットパターンを含んでいてもよく、したがって、ヌルトラヒックデータは、受信ボコーダによって廃棄されるであろう。１つの態様では、例えば、予め決定されるヌルフレームまたはインジケータは、ヌルトラヒックデータを有する既知の１８−ｋｂｐｓフレームであってもよい。別の態様では、例えば、予め決定されるフレームまたはインジケータは、最後に送信された１．８ｋｂｐｓフレームを繰り返し、それによって、ヌルトラヒックデータを示す。
【００５８】
ステップ８５０で、システマティックブランキングモジュール７１５は、送信のために、物理層処理モジュール２２０に対して、ヌルレート（ＮＲ）フレームを供給する。例示的な実施形態では、ヌルレートフレームは、トラヒックビットを含んでおらず、したがって、最小シグナリング帯域幅を消費する。ヌルレートフレームの送信の後で、アルゴリズムは、ボコーダ７１０から次のボイスフレーム７１０ａを受信するために、ステップ８１０に戻る。
【００５９】
図９および図９Ａは、ボコーダ７１０およびシステマティックブランキングモジュール７１５によって処理されるように、それぞれ、例示的なフレーム送信シーケンス７１０ａ＊および７１５ａ＊を図示する。
【００６０】
図９では、フレームのシーケンス７１０ａ＊は、「ＥＲ」とラベル付けされた１／８レートフレームと、ボコーダ７１０によって生成された「ＶＮＲ」とラベル付けされたボコーダヌルレートフレームと、を含む。
【００６１】
図９Ａでは、フレーム送信シーケンス７１５ａ＊は、送信シーケンス７１０ａ＊に８００のような選択的なブランキングアルゴリズムを適用する結果に対応しており、ここにおいては、ノンブランキングインターバルＮ＝４が使用されている。図９Ａでは、フレームのシーケンス７１５ａ＊は、１／８レートフレームＥＲとヌルレートフレームＮＲを含む。ＦｒａｍｅＮｕｍ０は、ボコーダ７１０から受信されるものとして、すなわちＥＲフレームとして、直接送信される。ノンブランキングインターバルＮ＝４にしたがって、ＦｒａｍｅＮｕｍ１−３は、ＮＲフレームとして送信され、ＦｒａｍｅＮｕｍ４は、ＮＲＩＤフレームとして送信される。アルゴリズム８００を参照して説明されているように、周期的なノンゼロレートフレーム送信を保証するために、ＮＲＩＤフレームが送信されるということに留意されたい。ＦｒａｍｅＮｕｍ５−１３の処理は、上記の説明により、当業者によって容易に理解されることができる。
【００６２】
図１０は、本開示にしたがったシステマティックブランキングのための方法１０００の例示的な実施形態を図示する。方法１０００は、説明の目的のためだけに示されており、示されているいずれの特定の方法に本開示の範囲を制限することを意味していないということを留意されたい。
【００６３】
図１０では、ステップ１０１０で、新しいトラヒック情報の存在について決定が行われ、新しいトラヒック情報は、ワイヤレス通信リンク上の送信のためのフレームに含まれる。
【００６４】
ステップ１０２０で、決定ブロックは、ステップ１０１０における決定の結果を決定する。
【００６５】
ステップ１０３０で、新しいトラヒック情報が存在する場合には、新しいトラヒック情報を表わすデータを備えているトラヒック部分は、フレームに加えられることができる。
【００６６】
ステップ１０４０で、新しいトラヒック情報が存在しない場合には、それぞれのフレームが送信について保証されたフレームに対応しないかぎり、新しいフレームは送信されない。この場合、ヌルデータレートとしてボコーダを受信することによって認識することが可能なヌルトラヒックデータを含んでいる送信について保証されるフレームを生成する。
【００６７】
図１１は、本開示にしたがった、ヌルレートフレーム送信を識別するためのパイロットゲーティングスキームの例示的な実施形態を図示する。パイロットゲーティングスキームは、説明の目的のためだけに与えられており、システムに本開示の範囲を制限することを意味していないということを留意されたい、なおヌルレートフレーム送信は、ゲート制御されたパイロット送信によって必然的に付随して起こる(accompanied by)。
【００６８】
図１１では、ＴＸ送信のトラヒック部分１１１０は、パイロット部分１１２０と共に示される。パイロット部分１１２０は、ノンヌルレートフレームの送信の間よりもヌルレートフレームの送信の間に、異なるパターンを有するようである。例えば、図１１で示されているように、ヌルフレームのためのパイロットゲーティングパターンは、２サブセグメントまたはＰＣＧに対応することができ、ここではパイロットはオンにされ（図１１で「Ｐ」と示されている）、２サブセグメントまたはＰＣＧと交互に起こり、ここではパイロットはオフにされる。ヌルフレーム送信の間の異なるパイロットゲーティングパターンの使用は、現在受信されているフレームがヌルフレームであるかを決定することにおいて、受信機をさらに助けることができる。このことは、例えば図６のヌルレート決定ステップ６３０の間に、使用されることができる。
【００６９】
当業者は、代替的なパイロットゲーティングパターンはヌルフレームの存在をシグナリングするために容易に導き出されることができるということを、本開示の観点から理解するであろう。例えば、パイロットゲーティングパターンは、サブセグメントまたはＰＣＧの１つおきに、またはいずれの他のパターンを使用して、パイロット送信を含むことができる。そのような代替技術は本開示の範囲内にあるように熟考される。
【００７０】
本開示の別の態様では、システムの信号送信をさらに縮小するために、システムの順方向リンク及び／または逆方向リンクのパワー制御レートが縮小されることができる。例示的な実施形態では、モバイル局は、モバイル局が基地局に送信する順方向リンクパワー制御コマンドの数を、例えば、ゲート制御された逆方向リンクパイロット送信に対応するＰＣＧの間に順方向リンクパワー制御コマンドを送信することのみによって、逆方向リンクパイロット部分が連続的であるフレームにおいても（すなわちゲート制御されていない）、縮小することができる。別の例示的な実施形態では、基地局は、例えばパワー制御グループおきに、縮小されたレートで逆方向リンクパワー制御コマンドを送信することができる。さらに、これらの逆方向リンクパワー制御コマンドを受信するモバイル局は、ノンヌルフレームの送信を制御するためにそれぞれ１つを適用することができる。ヌルフレームについては、基地局からの受信パワー制御コマンドの縮小された数（例えばすべてより少ない）は、上記で説明されているように、例えば逆方向リンクパイロット部分がゲート制御されるとき、モバイル局のヌルフレームの送信を制御するために利用されることができる。これらの例示的なパワー制御技術は、図１２−図１４を参照してさらに説明される。
【００７１】
図１２は、本開示にしたがった、順方向リンク（ＦＬ）送信のパワーを制御するための、縮小されたレートのパワー制御スキームの例示的な実施形態１２００を図示する。
【００７２】
図１２では、基地局送信（ＢＳ ＴＸ）１２１０は、モバイル局送信（ＭＳ ＴＸ）１２２０と共に示されている。モバイル局によって送信される、順方向リンク（ＦＬ）パワー制御（ＰＣ）コマンドを含んでいるＰＣＧは、１２２０で斜線ＰＣＧとして示されている。右上矢印は、各斜線ＰＣＧからオリジネートし、基地局によって送信される順方向リンクＰＣＧに指し示す(points to)、なお、受信されたＦＬ ＰＣコマンドが適用される。例えば、ＲＬ ＰＣＧ＃３のモバイル局によって送信されたＦＬ ＰＣコマンドは、ＦＬ ＰＣＧ＃４を送信すること等において基地局によって適用される。
【００７３】
図１２では、１２２０の斜線ＰＣＧは、ＲＬ ＰＣＧに対応しており、ＲＬ ＴＸパイロットは、図１１に示されるゲート制御されたパイロットスキーム１１００にしたがって、オンにされる、ということに留意されたい。同時に、モバイル局は、１２２０で示されているように、斜線ＰＣＧに対応しているＲＬ ＰＣＧにおいてＦＬ ＰＣコマンドのみを送信する。モバイル局は、非斜線ＲＬ ＰＣＧにおいてＦＬ ＰＣコマンドを送信しない。したがって、ＦＬ ＰＣコマンドは、ゲート制御されたパイロットパターンが利用されるかに関わらず、または、特定のフレームについてではなく（例、特定フレームがヌルレートフレームであるかに関らない）、ゲート制御されたパイロットスキームの間に送信されるそれらのＲＬ ＰＣＧにおいてのみ送信される。当業者は、ＦＬ ＰＣ処理の複雑さを減らすことができ、そしてそれはまた、全体的なＦＬ ＰＣレートを縮小するということを理解するであろう。
【００７４】
図１３は、本開示にしたがった、逆方向リンク（ＲＬ）連続パイロット送信のパワーを制御するための縮小されたレートパワー制御スキームの例示的な実施形態１３００を図示する。
【００７５】
図１３では、基地局によって送信される順方向リンク（ＲＬ）パワー制御（ＰＣ）コマンドを含んでいるＰＣＧは、１３１０で斜線ＰＣＧとして示されている。右下矢印は、各斜線ＰＣＧからオリジネートし、対応する受信ＲＬ ＰＣコマンドを適用するモバイル局によって送信された逆方向リンクＰＣＧに指し示す。例えば、ＦＬ ＰＣＧ＃３の基地局によって送信されたＲＬ ＰＣコマンドは、ＲＬ ＰＣＧ＃４を送信すること等においてモバイル局によって適用される。
【００７６】
図１３では、基地局は、１３１０で示されているように、斜線ＰＣＧに対応するＦＬ ＰＣＧにおいてＲＬ ＰＣコマンドのみを送信する。基地局は、非斜線ＰＣＧにおいてＲＬ ＰＣコマンドを送信しない。
【００７７】
図１４は、本開示にしたがった逆方向リンク（ＲＬ）ゲート制御されたパイロット送信のパワーを制御するための、縮小されたレートパワー制御スキームの例示的な実施形態１４００を図示する。
【００７８】
図１４では、基地局によって送信される順方向リンク（ＲＬ）パワー制御（ＰＣ）コマンドを含んでいるＰＣＧは、１４１０でまた斜線ＰＣＧと示されている。実線の右下矢印は、斜線ＰＣＧからオリジネートし、対応する受信ＲＬ ＰＣコマンドを適用するモバイル局によって送信された逆方向リンクＰＣＧへ指し示す。他方で、斜線ＰＣＧからオリジネートしている点線矢印は、指し示された対応するＲＬ ＰＣＧに対して、ＭＳによって適用されない基地局によって送信されるＲＬ ＰＣコマンドを示す。基地局は、単に、斜線ＰＣＧに対応するＦＬ ＰＣＧにおいてＲＬ ＰＣコマンドを送信する。基地局は、非斜線ＰＣＧにおいてＲＬ ＰＣコマンドを送信しない。
【００７９】
例えば、ＦＬ ＰＣＧ＃１の基地局によって送信されたＲＬ ＰＣコマンドは、ＲＬ ＰＣＧ＃３を送信することなどにおいてモバイル局によって適用される。他方で、ＦＬ ＰＣＧ＃２の基地局によって送信されたＲＬ ＰＣコマンドは、ＲＬ ＰＣＧ＃４を送信することなどにおいてモバイル局によって適用されない。代わりに、例示的な実施形態では、モバイル局は、説明された例では、前のＰＣＧ、例えばＲＬ ＰＣＧ＃３に使用されるのと同じパワーレベルを維持することができる。本開示の態様では、これは、モバイル局によってＲＬ ＰＣコマンドの処理を単純化するために行われることができる。
【００８０】
図１５は、本開示にしたがったパワー制御方法１５００を図示する。方法１５００は説明の目的のためだけに示されており、本開示の範囲を限定することを意味していないということに留意されたい。
【００８１】
ステップ１５１０では、現在のフレームが受信され、フレームは、複数のサブセグメントへとフォーマット化される。
【００８２】
ステップ１５２０では、受信されたフレームは、物理層プロトコルにしたがって処理される。
【００８３】
ステップ１５３０で、第１のゲート制御されたパイロットパターンにしたがった送信のために指定されたサブセグメントにおいて受信パワー制御コマンドが受信される。
【００８４】
ステップ１５４０で、指定されたサブセグメントに続くＴＸサブセグメントの送信パワーは、受信パワー制御コマンドにしたがって調整されており、ＴＸサブセグメントは、第２のゲート制御されたパイロットパターンにしたがって送信される。
【００８５】
本開示の別の態様によると、本技術は、パワーを節約しキャパシティを増大させるために、ワイヤレス通信システムにおける順方向リンク送信及び／または逆方向リンク送信の早期終了のために提供される。
【００８６】
図１６は、通信システムの送信機において情報ビット１６００ｂを処理するための従来技術のフレーム処理スキームを図示する。ある例示的な実施形態では、示されるフレーム処理スキームは、ワイヤレス通信システムの順方向リンク送信または逆方向リンク送信に使用されることができる。図１６Ａは、図１６で図示されたオペレーションによって処理されるデータのステータスを図示する。
【００８７】
フレーム処理スキームは、説明の目的のためだけに示されており、示されたいずれの特定の処理スキームに本開示の範囲を制限することを意味していないということに留意されたい。本開示の代替の例示的な実施形態では、例えば、図１６で示されるスキームのステップを再度順序付けすること、及び／または、示されているスキームにステップを加えるまたは削除する、代替的なフレーム処理スキームを採用することができる。そのような代替の例示的な実施形態は、本開示の範囲内にあるように熟考される。
【００８８】
図１６では、情報ソースは、選択されたレートＲで、情報ビット１６００ｂを生成する。フレーム当たりに生成された情報ビット１６００ｂの数は、選択されたレートＲによって決まる。例えば、ｃｄｍａ２０００システムでは、１７２情報ビット／２０ミリ秒フレーム（「フルレート」）、８０ビット／フレーム（「１／２レート」）、４０ビット／フレーム（「１／４レート」）、１６ビット／フレーム（「１／８レート」）であってもよい。フレームのための情報ビット１６００ｂは、図１６Ａの変数ｂによって集約的に表示される。
【００８９】
ステップ１６００で、フレーム品質インジケータ（ＦＱＩ）が生成され、フレームのための情報ビット１６００ｂに加えられることができる(appended)。例えば、ＦＱＩは、当業者に知られた巡回冗長検査(cyclical-redundancy check)（ＣＲＣ）であってもよい。図１６Ａでも図示されているように、信号１６００ａは、情報ビット１６００ｂとＦＱＩの組み合わせを表わす。
【００９０】
ステップ１６１０で、エンコーダテイルビットは、信号１６００ａに加えられることができる。例えば、エンコーダテイルビットは、畳み込みエンコーダを用いた使用のために、固定された数のゼロ値テイルビット(fixed number of zero-valued tail bits)を表わすことができる。さらに図１６Ａで説明されているように、信号１６１０ａは、エンコーダテイルビットを備えた信号１６００ａの組み合わせを表わす。
【００９１】
ステップ１６２０で、信号１６１０ａは、符号化され繰り返される（あるいはパンクチャリングされる）。上述されているように、符号化は畳み込み符号化またはターボ符号化を含むことができ、反復は、各シンボルと関連づけられた送信エネルギーをさらに増大させる（または、パンクチャリングの場合には減少させる）ように役立つ。例えば、符号化は、ブロック符号化または他のタイプの符号化のような、当業者に知られている他の技術を利用してもよく、本開示において明示的に説明されている符号化に限定される必要はないということに留意されたい。信号１６２０ａは、図１６Ａでも図示されているように、符号化され繰り返された（またはパンクチュアリングされた）バージョンの信号１６１０ａを表わす。
【００９２】
ステップ１６３０では、信号１６２０ａは、例えば選ばれた信号の次元(a chosen signal dimension)にしたがって符号化されたシンボルのダイバーシティを改善するために、インタリーブされる。例示的なインプリメンテーションでは、シンボルは、時間にわたってインタリーブされてもよい。図１６Ａでも説明されているように、信号１６３０ａは、信号１６２０ａのインタリーブされたバージョンを表わす。
【００９３】
ステップ１６４０で、図１６Ａでも説明されているように、信号１６３０ａのインタリーブされたシンボルは、あらかじめ定義されたフレームフォーマットにマッピングされる。フレームフォーマットは複数のサブセグメントから成るようなフレームを指定することができる。例示的な実施形態では、サブセグメントは、与えられた次元、例えば時間、周波数、コード、または、いずれの他の次元にしたがって連続するフレームのいずれの部分であってもよい。フレームは、そのような固定された複数のそのようなサブセグメントから成り、各サブセグメントは、フレームに割り付けられたシンボルの合計数の一部を含んでいる。例えば、Ｗ−ＣＤＭＡ標準規格にしたがった例示的な実施形態では、サブセグメントはスロットとして定義されることができる。ｃｄｍａ２０００標準規格にしたがった例示的な実施形態では、サブセグメントはパワー制御グループ（ＰＣＧ）として定義されることができる。
【００９４】
ある例示的な実施形態では、インタリーブされたシンボルは、時間、周波数、符号、または、信号送信に使用されるいずれの他の次元でマッピングされることができる。更に、フレームフォーマットはまた、信号１６３０aのインタリーブされたシンボルと共に、例えば制御シンボル（図示されず）の包含を規定することができる。そのような制御シンボルは例えば、パワー制御シンボル、フレームフォーマット情報シンボルなどを含むことができる。信号１６４０aは、図１６Ａでも図示されているように、ステップ１６４０でシンボル・ツー・フレームのマッピングの出力を表わす。
【００９５】
ステップ１６５０で、信号１６４０aは、例えば１つまたは複数のキャリア波形上へと変調される。ある例示的な実施形態では、変調は、例えばＱＡＭ(quadrature amplitude modulation)、ＱＰＳＫ(quadrature phase-shift keying)を利用することができる。信号１６５０aは、図１６Ａでも図示されているように、信号１６４０aの変調されたバージョンを表わす。信号１６５０aは、図１６Ａの変数xによってさらに表示される。
【００９６】
ステップ１６６０で、変調信号１６５０ａは、さらに処理され、無線で送信され、そして受信機によって受信される。ステップ１６６０は、受信されたシンボル１７００ａを生成し、図１６Ａの変数ｙによってさらに表示される。当業者は、無線での送信及び受信のために信号１６５０ａを処理するための技術はよく知られており、ここにおいてさらに開示されていないということを理解するであろう。以下に記されているように、ｙに含まれたシンボルはさらに処理されることができる。
【００９７】
図１７は、ｃｄｍａ２０００のための従来技術の順方向リンクシグナリングスキームと関連づけられたタイミング図を図示する。
【００９８】
図１７では、基地局（ＢＳ）は、１７００で、モバイル局（ＭＳ）に対して、順方向基本チャネル（Ｆ−ＦＣＨ ＴＸ）上で一連のフレームを送信する。示されている例示的な実施形態では、サブセグメントはパワー制御グループ（ＰＣＧ）に対応しており、ＰＣＧの１６サブセグメント（０〜１５と数字がついている）で各フレームを構成する。第１フレームのＴＸフレーム＃０に対応するすべての１６個のＰＣＧを送信した後で、ＢＳは、次のフレームのＴＸフレーム＃１を送信することを始める。例示的な実施形態では、図１６および図１６Ａを参照してここにおいて上述されているように、送信されたデータは処理されることができる。
【００９９】
ＭＳ側で、ＭＳは、１７１０で、送信されたＰＣＧを受信する。ＴＸフレーム＃０に対応するＲＸフレーム＃０の最後のＰＣＧ（すなわち、ＰＣＧ＃１５）を受信すると、ＭＳは、受信されたすべてのＰＣＧを使用してＲＸフレーム＃０を復号することを始める。その復号された情報は、その後、復号時間ＴＤとして利用可能である。例示的な実施形態では、図１８を参照して、下記で説明されるように、復号は実行されることができる。ＭＳがＴＸフレーム＃０を復号している間に、ＴＸフレーム＃１のＰＣＧは同時に受信される、ということに留意されるべきである。
【０１００】
図１８は、受信されたシンボルｙから、推定された情報ビットｂ’を回復するための従来技術方法１８００を図示する。
【０１０１】
ステップ１８０５で、シンボルｙあるいは１７００ａは、全体フレームのために受信される。
【０１０２】
ステップ１８１０で、シンボルｙまたは１７００ａは、信号１８１０ａと示されるシンボルｙ’を生成するために、復調され、パースされ、そしてデインタリーブされる。当業者は、例えば図１６で示されているように、ステップ１８１０ａで実行されるオペレーションは、送信機において実行されるオペレーションの逆に対応することができるということを理解するであろう。
【０１０３】
ステップ１８２０で、レートＲの情報(knowledge)が与えられると、シンボルｙ’は、復号され組み合わせられる。インプリメンテーションでは、レートＲは、受信されたフレームにおいて存在しているビットの数を示すことができ、例えばどの時点で受信されたシンボルシーケンスにおいて復号を終了するかを決定するために、及び／または、復号されたシーケンスからテイルビットを除去するために、デコーダによって使用されることができる。ステップ１８２０で、例えば図１６のステップ１６１０で加えられるような、復号されたシーケンスのテイルビット、もまた取り除かれることができる。ステップ１８２０の結果は、出力信号１８２０ａである。
【０１０４】
ステップ１８３０で、例えば図１６のステップ１６００で加えられているように、ＦＱＩはチェックされ、情報ビットからも取り除かれる。インプリメンテーションでは、ＦＱＩチェックの結果は、復号を成功または失敗のいずれかとして識別することができる。ステップ１８３０は、成功または失敗のいずれかを示すことができるＦＱＩ結果とともに、回復された情報ビット（ｂ’と示される）を生成する。
【０１０５】
ステップ１８４０で、方法は次のフレームに進み、次のフレームについて、上述されたステップを繰り返すことができる。
【０１０６】
本開示によると、下記で説明される早期フレーム復号および終了技術は、全体的な通信システム１００がより効率的に動作し、そして、送信パワーを節約することを可能にし、それによって、セルキャパシティを増加させる。
【０１０７】
図１９は、ｃｄｍａ２０００標準規格にしたがって動作しているシステムのための順方向リンク送信の早期終了のためのスキームの例示的な実施形態を図示する。例示的な実施形態は説明のためだけに示されており、ｃｄｍａ２０００に基づいたシステムに本開示の範囲を制限することは意味していないということに留意されたい。当業者は、ここにおいて参照される特定のＰＣＧ及びフレーム番号は、説明の目的だけであり、本開示の範囲を制限することを意味していないということを理解するであろう。
【０１０８】
図１９では、基地局（ＢＳ）は、モバイル局（ＭＳ）に対して、１９００で一連のフレームを送信する。例示的な実施形態では、送信は、基本順方向チャネル(fundamental forward channel)（Ｆ−ＦＣＨ ＴＸ）上で行われることができる。上述されているように、図１９で示される各サブセグメントは、ｃｄｍａ２０００においてパワー制御グループ（ＰＣＧ）に対応することができる。ＢＳは、ＴＸフレーム＃０のＰＣＧ＃０で送信を開始し、ＡＣＫ信号１９４５が、ＰＣＧ＃８の後でＭＳから受信されるまで、連続的にＰＣＧを送信する。ＡＣＫ信号は、すでに受信したＰＣＧに基づいて全体のＴＸフレーム＃０を無事にＭＳが復号したということをＢＳに対してシグナリングするために、ＭＳによって送信される。
【０１０９】
ＡＣＫ１９４５を受信すると、ＢＳは、ＴＸフレーム＃０に対応するＰＣＧの送信を止め、新しいフレームのＴＸフレーム＃１についてＰＣＧを送信する前に、次のフレーム、つまりＴＸフレーム＃１の始まりまで待機する。ＡＣＫ信号１９４５を受信し処理することと関連づけられた有限時間期間の間に、ＢＳは、ＴＸフレーム＃０のＰＣＧ＃９を送信することをすでに始めることができるということに留意すべきである。
【０１１０】
参照番号１９１０−１９４０は、ＢＳによるＴＸフレーム送信の早期終了を可能にするＢＳに対して送信されたＡＣＫ信号１９４５を生成するために、ＭＳによってとられた動作のタイミングを図示する。
【０１１１】
１９１０では、ＭＳは、ＲＸフレーム＃０およびＲＸフレーム＃１として、それぞれ、ＴＸフレーム＃０およびＴＸフレーム＃１についてのＰＣＧを受信する。
【０１１２】
１９２０では、ＭＳは、ＲＸフレーム＃０に割り付けられたすべての１６ＰＣＧが受信されることを待機することなく、ＲＸフレーム＃０の各ＰＣＧが受信されるときにＲＸフレーム＃０を復号することを試みる。例示的な実施形態では、ＰＣＧあたりのベースで(per-PCG basis)の復号を達成するために、ＭＳは、図２０を参照して下記に説明されている２０００のようなサブセグメントあたりの復号アルゴリズム(per-sub-segment decoding algorithm)を利用することができる。
【０１１３】
１９２５で、ＰＣＧ＃７を受信した後で、ＭＳは、例えば受信ビットと関連づけられたＣＲＣをチェックすることによって決定されるようにＲＸフレーム＃０を無事に復号する。ＭＳは復号成功を宣言し、ＡＣＫ送信１９３０に進む。
【０１１４】
１９３０で、１９２５での復号成功を宣言した後で、ＭＳは、逆方向リンクのＰＣＧ＃８と関連づけられた送信の一部分の間に、ＢＳに対し、ＭＳ ＡＣＫ信号１９４５を送信する。
【０１１５】
例示的な実施形態では、ＭＳは、復号成功が決定されるＰＣＧに直前に後続するＰＣＧの間に、または、復号成功が決定されるＰＣＧに後続するいずれのＰＣＧにおいて(during the PCG immediately subsequent to, or at any PCG subsequent to, the PCG in which a decoding success is determined)、ＡＣＫ信号を単に送信することができる。図１９で示されるもののような代替の例示的な実施形態では、ＡＣＫ信号１９４５送信のタイミングは、ＡＣＫマスク１９４０によって制御されることができる。ＡＣＫマスクは、ＡＣＫ信号が送信されることができるとき、または、できないとき、を規定するように動作可能である。そのようなＡＣＫマスクを提供することは、肯定応答メッセージを送信することによって使用される通信リンクキャパシティを制限することができる。
【０１１６】
図１９では、ＡＣＫマスク１９４０は、逆方向リンク上のＡＣＫ送信が可能にされる間に、「１」と指定される時間インターバルによって特徴づけられる。ＡＣＫ送信は「０」と指定される時間インターバルの間に可能にされない。例示的な実施形態では、閾値ＰＣＧの後の時間インターバルのみにＡＣＫ送信を制限することによって、ＡＣＫマスクは、受信フレームの十分な部分が処理されたときのみ復号が試みられることを保証することができる。本開示によると、ＭＳは、成功復号に直前に続くＡＣＫマスクによって「１」と指定される次の時間期間においてＡＣＫメッセージを送信することができる。
【０１１７】
ここに示された特定ＡＣＫマスク構成は説明の目的のためだけであり、示されたいずれのＡＣＫマスクに本開示の範囲を制限することを意味していないということに留意すべきである。当業者は、示されているものよりもサブセグメントまたはＰＣＧの異なる部分の間のＡＣＫ送信を可能にするために、代替ＡＣＫマスク構成が容易に提供されることができるということを理解するであろう。そのような代替の例示的な実施形態は本開示の範囲内にあるように熟考される。
【０１１８】
例示的な実施形態では、ＡＣＫマスクパターンによって指定されるＰＣＧは、例えば図１１を参照してここにおいて上述されているように、ＮＲフレーム送信をシグナリングするために使用されるＲＬゲート制御されたパイロットパターンのためのパターンによって規定されるのと同じＰＣＧでオーバラップすることができる。
【０１１９】
例示的な実施形態では、ＢＳ ＴＸはまた、ＭＳ ＡＣＫ １９４５を受信すると連続的に送信されたパイロット信号からゲート制御されたパイロット信号へと切替えることができるパイロット送信（図示されず）を含むことができ、ゲート制御されたパイロット信号は、ゲート制御されたパイロットパターンにしたがって送信されている。
【０１２０】
図２０は、本開示にしたがった、サブセグメントあたりの復号スキームの例示的な実施形態を図示する。方法２０００は、説明する目的のためだけに示されており、示されているいずれの特定の例示的実施形態に本開示の範囲を制限するように意図されていないということに留意すべきである。
【０１２１】
図２０では、ステップ２００１で、サブセグメントインデックスｎは、ｎ＝０に初期化される。
【０１２２】
ステップ２００５で、方法は、サブセグメントｎのためのシンボルｙｎを受信する。
【０１２３】
ステップ２０１０で、方法は、現在のフレームのサブセグメントｎを含んでおり、最大サブセグメントｎまで受信されるすべてのシンボルｙ  ｎを復調し、パースし、そしてデインタリーブする。ｙ  ｎは、例えば、包括的に、サブセグメント０からサブセグメントｎまでの受信されたすべてのトラヒックシンボルを含むことができる。ステップ２０１０の結果はｙ’  ｎとして表示される。
【０１２４】
ステップ２０２０で、方法は、シンボルｙ’  ｎを復号し組み合わせる。当業者は、一般にシンボルｙ’  ｎが全体フレームについて送信機によって割り付けられる合計シンボルｘの一部のみに対応しており、シンボルｙ’  ｎのみを使用している全体フレームの「早期」復号は、それでもなお試みがなされうるということを、理解するであろう。そのような早期復号の試みは、例えば、例えば図１６のステップ１６２０でフラクショナルレート符号化によって導入されたシンボルｘにおける冗長度及び／または繰り返し、及び／または、図１６のステップ１６３０でインタリーブすることを介して達成される時間または他の次元ダイバーシティ(time- or other-dimensional diversity)、により復号成功のよい機会を有することができる。
【０１２５】
ステップ２０２０で、符号化されたテイルビットは、信号２０２０ａを生成するために、復号されたビットシーケンスから取り除かれる。
【０１２６】
ステップ２０３０で、方法は、信号２０２０ａからＦＱＩをチェックし、そしてｎまで現在のフレームについての蓄積された受信サブセグメントから、ＦＱＩ結果２０３０ａを生成する。
【０１２７】
ステップ２０３５で、方法は、ＦＱＩ結果が成功を示したかを評価する。「はい」の場合、方法は、ステップ２０４０に進み、そこでは、復号は成功であると宣言される、そして、方法は、順方向リンク送信の早期終了を可能にするためにＡＣＫメッセージ生成に進む。次の利用可能な機会は、例えば、図５を参照して説明されるようにＡＣＫマスクによって規定される。「いいえ」の場合には、方法は、ステップ２０３７へ進む。
【０１２８】
ステップ２０３７で、方法はｎをインクリメントし、受信されるべき追加サブセグメントがフレームに残されているかを決定する。「はい」の場合には、方法はステップ２００５に戻る。「いいえ」の場合には、方法は、ステップ２０６０でフレームについての復号は失敗であると宣言するために進む。
【０１２９】
ステップ２０７０で、デコーダは、次のフレームを評価するために進む。
【０１３０】
図２１は、ｃｄｍａ２０００標準規格に応じて無線設定４（ＲＣ４）のための従来技術の順方向リンクシンボルパスのインプリメンテーション２１００と本開示にしたがった順方向リンクシンボルパスの例示的な実施形態２１１０を図示する。インプリメンテーション２１００では、フレーム品質インジケータは、フレームのビットに加えられるＣＲＣの長さ６、６、８、または１２を含み、フレームシンボルレートによって決まる。本開示にしたがった例示的な実施形態２１１０では、フレーム品質インジケータは、フレームのビットに加えられる、ＣＲＣの増大された長さ、１２、１２、１２、または１２を含む。増大された長さＣＲＣの使用は、本開示に従った早期復号スキームの性能を改善し、例えば本開示にしたがった早期復号技術のための復号成功のより正確な検出を可能にする。ここにおいて図示される特定ＣＲＣ長さは説明のためだけに提供されており、図示されたいずれの特定のＣＲＣ長さに本開示の範囲を制限することを意味していない。
【０１３１】
インプリメンテーション２１００でさらに示されているように、シンボルパンクチャレートは、１／５、１／９、無、及び無であり、フレームシンボルレートによって決まる。本開示による例示的な実施形態２１１０では、シンボルパンクチャレートは、１／３、１／５、１／２５、及び無しであり、フレームシンボルレートによって決まる。当業者は、例示的な実施形態２１１０における増大されたパンクチュアリングは例示的な実施形態２１１０によって要求される増大された長さＣＲＣに適応する(accommodate)ために使用されることができる、ということを理解するであろう。
【０１３２】
図２２は、順方向リンク送信の早期終了のために、逆方向リンク上でＡＣＫメッセージをシグナリングするために使用されるシグナリングスキーム２２００の例示的な実施形態を図示する。図２２では、逆方向ＡＣＫチャネル（Ｒ−ＡＣＫＣＨ）２２１０は、モジュレータ２２１４を使用して、ウォルシュ信号Ｗ（６４，１６）２２１２上へとオン・オフ・キーイング（ＯＯＫ）を使用して変調される。相対的チャネル利得２２１６は、結果として生じる信号に適用され、付加的なコンバイナ２２１８に供給される。
【０１３３】
図２２では、２０ｍｓ当たりの１５３６シンボルのレートを有する逆方向基本チャネル（Ｒ−ＦＣＨ）２２２０は、モジュレータ２２２４を使用して、ウォルシュ関数Ｗ（１６，４）２２２２上で変調される。相対的チャネル利得２２２６は結果として生じる信号に適用され、結果はさらに付加的なコンバイナ２２１８に提供される。付加的なコンバイナの出力は、ＢＳへの逆方向リンク送信のために直角位相（Ｑ）チャネル２２２８上で提供されることができる。示されている例示的な実施形態では、逆パイロットチャネル（Ｒ−ＰＩＣＨ）２２３０を含む同相（Ｉ）チャネル２２３４もまた提供される。
【０１３４】
図２２を参照して示される逆方向リンクＡＣＫシグナリングスキームの例示的な実施形態は、説明のためだけに提示されており、ＡＣＫシグナリングスキームのいずれの特定の実施形態に本開示の範囲を限定することを意味していないということに留意すべきである。当業者は、逆方向リンク上でＡＣＫをシグナリングするための代替的な技術は本開示の観点から容易に導き出されることができ、そしてそれは、異なる形式の変調を適用することと、示されているものとは異なる代替チャネル上でＡＣＫメッセージを送信することを含んでいる、ということを理解するであろう。そのような代替の例示的な実施形態は本開示の範囲内にあるように熟考される。
【０１３５】
図２３は、ｃｄｍａ２０００標準規格にしたがって動作するシステムのための逆方向リンク送信の早期終了のスキーム２３００の例示的な実施形態を図示する。例示的な実施形態は、説明の目的だけのために示されており、示されているいずれの特定の逆方向リンクの早期終了スキームに本開示の範囲を制限することを意味していないということには留意されたい。当業者は、ここにおいて参照された特定のＰＣＧおよびフレームの番号は、説明のためだけであるということを理解するであろう。
【０１３６】
図２３では、モバイル局（ＭＳ）は、２３００で、基地局（ＢＳ）に対して一連のフレームを送信する。例示的な実施形態では、フレームは、逆の基本チャネル（Ｒ−ＦＣＨ ＴＸ）上で送信されることができる。図２３では、示された各サブセグメントは、パワー制御グループ（ＰＣＧ）に対応する。ＭＳは、ＰＣＧ＃０でＴＸフレーム＃０の送信を開始し、ＡＣＫ信号２３４５がＰＣＧ＃８の後でＢＳから受信されるまで、ＰＣＧを連続的に送信する。ＡＣＫ２３４５を受信すると、ＭＳは、ＴＸフレーム＃１に対応するＰＣＧを送信することを始めるために、ＴＸフレーム＃０に対応するＰＣＧの送信を止め、そして、次のフレーム、すなわちＴＸフレーム＃１の始まり(beginning)まで待機する。
【０１３７】
参照番号２３１０−２３４０は、ＭＳによる逆方向リンクフレーム送信の早期終了を可能にするＭＳに送信されたＡＣＫ信号２３４５を生成するためにＢＳによってとられた動作のタイミングを図示する。
【０１３８】
２３１０で、ＢＳは、ＲＸフレーム＃０およびＲＸフレーム＃１として、それぞれ、ＴＸフレーム＃０およびＴＸフレーム＃１のＰＣＧを受信する。
【０１３９】
２３２０で、ＢＳは、ＲＸフレーム＃０に割り付けられたすべての１６ＰＣＧが受信されることを待機することなく、各個別ＰＣＧが受信されるとき、ＲＸフレーム＃０を復号することを試みる。例示的な実施形態では、ＰＣＧあたりのベースで(on a per-PCG basis)のそのような復号を達成するために、ＢＳは、図２０を参照して上述される２０００のようなサブセグメントあたりの復号アルゴリズム(per-sub-segment decoding algorithm)を使用することができる。
【０１４０】
２３２５で、ＰＣＧ＃５を受信した後で、ＢＳは復号成功を宣言し、ＢＳ ＡＣＫ ＴＸ信号を生成するためにＡＣＫ送信ステップ２３３０へ進む。
【０１４１】
２３３０で、ステップ２３２５で復号成功を宣言した後で、ＢＳは、順方向リンクのＰＣＧ＃８と関連づけられた送信の一部分の間にＡＣＫ信号２３４５を送信する。ＡＣＫ信号２３４５が送られる送信の一部分は、対応するＡＣＫマスク２３４０によって定義されることができる。
【０１４２】
例示的な実施形態では、ＡＣＫマスクパターンは、図１９を参照してここにおいて上述されているように、逆方向リンク（ＲＬ）パワー送信を制御するために、順方向リンク（ＦＬ）上でパワー制御コマンドが送信されるそれらのＰＣＧの間にのみ、ＡＣＫ送信を可能にする。
【０１４３】
図２３で、２３５０は、逆方向リンク早期終了スキームの例示的な実施形態にしたがって、ＭＳによる逆方向リンクパイロット信号の送信を図示する。ステップ２３５０で、ＡＣＫ信号２３４５は、ＰＣＧ＃８でＢＳからＭＳによって受信された後で、ＭＳはＰＣＧごとにＲＬパイロット信号を送信するのを止める。むしろ、示されているように、ＲＬパイロット信号送信は、選択されたＰＣＧのためにゲートオフされることができる。このことは、ＢＳに対してさらなるＡＣＫシグナリングメカニズムを提供することに加え、残りのＰＣＧのためにＲＬパイロット信号送信パワーを節約することの両方をサービス提供することができる。例示的な実施形態では、残りのＰＣＧのためのＲＬゲート制御されたパイロットパターンは、図１１を参照してここにおいて上述されているような、ＮＲフレーム送信をシグナリングするために使用されるパターンに対応することができる。
【０１４４】
示された例示的な実施形態では、ＲＬパイロット信号は、ＰＣＧ９、ＰＣＧ１０、ＰＣＧ１３およびＰＣＧ１４の間にゲートオフされる。一般に、ＲＬパイロット信号は、早期終了されたフレームの終わりまで、ＡＣＫ信号が送信された後で、２つのＰＣＧのグループを交換することにおいてゲートオフされることができる。ＮＲフレームのパイロットゲーティングと同様に、例えば、１つのパワー制御グループオフが続く１つのパワー制御グループ、２つのパワー制御グループオフが続く２つのパワー制御グループ、及び送信パワーを減らすのに動作可能ないずれの他のパターン、のような様々なスキームは早期終了されたフレームのパイロットゲーティングのために使用されることができるということはさらに留意されるべきである。
【０１４５】
図２４は、従来技術の逆方向リンクシンボルパスのインプリメンテーション２４００と本開示にしたがった逆方向リンクシンボルパスの例示的な実施形態２４１０を図示する。インプリメンテーション２４００では、フレームシンボルレートによって決まるＣＲＣの長さ６、６、８、あるいは１２が、フレームのビットに加えられる。本開示にしたがった例示的な実施形態２４１０では、ＣＲＣの増大した長さ１２、１２、１２、あるいは１２は、フレームのビットに加えられることができる。図２１で図示される順方向リンク処理の場合、増大された長さＣＲＣの使用は、本開示にしたがって早期復号スキームの性能を改善し、例えば早期復号技術についての復号成功のより正確な検出を可能にする。ここにおいて図示される特定ＣＲＣ長さは、説明の目的のためだけに提供されており、図示されるいずれの特定ＣＲＣ長さに本開示の範囲を制限することを意味していないということを留意されたい。
【０１４６】
インプリメンテーション２４００においてさらに示されているように、シンボルパンクチャレートは、１／５、１／９、無、および無であり、フレームシンボルレートによって決まる。本開示にしたがった例示的な実施形態２４１０では、シンボルパンクチャレートは、１／３、１／５、１／２５および無であり、フレームシンボルレートによって決まる。当業者は、例示的な実施形態２４１０におけるパンクチュアリングの増大された使用は、例示的な実施形態２４１０においてもまた存在する、増大された長さＣＲＣを適応させることができるということは理解するであろう。
【０１４７】
例示的な実施形態では、ＭＳに対してＢＳによって送信されるＡＣＫ信号は、順方向リンクトラヒックチャネル上で予め決定された位置を有するビットをサプラントすること(supplanting)（パンクチャリングすること）によって、及び／または、ＭＳに対しＡＣＫまたはＮＡＫ（肯定応答なし）をシグナリングするために予め決定された位置でオン−オフキーイング（ＯＯＫ）を使用することによって、提供されることができる。例示的な実施形態では、予め決定された位置は、予め決定された擬似乱数ビットパターンに応じてフレームあたりのベースで異なっていてもよい。例示的な実施形態では、ＡＣＫビットは、逆方向リンクパワー制御ビットで、時間ドメイン多重化（ＴＤＭ’ｅｄ）されることができる。
【０１４８】
ｃｄｍａ２０００通信リンクの基本チャネルだけでなく「高速データレート(high data rate)」補足のチャネルにも、上述されたフレーム早期終了態様が適用されることができるということに留意すべきである。例えば、代替の例示的な実施形態(図示されず)では、順方向リンク上のＡＣＫシグナリングメカニズムは、１以上の対応する逆方向補足チャネル上で１以上のＭＳによる送信の早期終了を可能にする、順方向リンク上のＡＣＫシグナリングメカニズムが使用されることができる。
【０１４９】
例えば、例示的な実施形態（図示されず）では、１つまたは複数のＭＳは、対応する逆方向補足チャネル上でフレームを同時に送信することができる。ＢＳがＭＳから逆方向補足チャネルを受信することに成功する場合には、ＢＳは、順方向共通肯定応答チャネルの対応する順方向共通肯定応答サブチャネル上でＡＣＫを送信することができる、なお、各順方向共通肯定応答チャネルの１つのサブチャネルは、１つの逆方向補足チャネルを制御するように割り当てられる。このような方法で、複数のＭＳからの順方向共通肯定応答サブチャネルは、単一順方向共通肯定応答チャネル上で時間多重化されることができる。例えば、例示的な実施形態では、マルチプルサブチャネルは、ＢＳ及び１以上のＭＳに知られた予め決定されるパターンに応じて単一の共通肯定応答チャネル上で時間多重化されることができる。そのような予め決定されたパターンは、外部シグナリング（図示されず）を介して示されることができる。
【０１５０】
ＢＳは、１以上の順方向共通肯定応答チャネル上のオペレーションをサポートすることができる。例示的な実施形態では、逆方向補足チャネルについて順方向共通肯定応答チャネルが送信されることができるサブセグメントまたはＰＣＧは、ここに上述されるようにＡＣＫマスクによって示されることができる。
【０１５１】
代替の例示的な実施形態では、ｃｄｍａ２０００標準規格にしたがって動作するシステムについて、順方向基本チャネル上の及び１以上の順方向補足チャネル上の両方の送信を制御するために、逆方向リンク上でＡＣＫシグナリングメカニズムが提供されることができる。図２５は、順方向基本チャネル（Ｆ−ＦＣＨ）及び／または最大２つの順方向補足チャネル（Ｆ−ＳＣＨ１及Ｆ−ＳＣＨ２）の、早期終了について逆方向リンク上でＡＣＫメッセージをシグナリングするために使用されるシグナリングスキーム２５００の例示的な実施形態を図示する。
【０１５２】
図２５では、逆ＡＣＫチャネル（Ｒ−ＡＣＫＣＨ）２５２０は、モジュレータ２５２４を使用して、ウォルシュ関数Ｗ（６４，１６）２５２２上にバイナリシフトキーイング（ＢＰＳＫ）を使用して変調される。例示的な実施形態では、Ｒ−ＡＣＫＣＨ２５２０は、順方向基本チャネル（Ｆ−ＦＣＨ）上での送信を終了するために、ＢＳにシグナリングすることができる。相対的チャネル利得２５２６は、結果として生じる信号に適用され、付加的なコンバイナ２５１８に供給される。
【０１５３】
図２５では、第２の逆ＡＣＫチャネル（Ｒ−ＡＣＫＣＨ）２５１０は、モジュレータ２５１４を使用して、ウォルシュ関数Ｗ（１６，１２）２５１２上へと、バイナリシフトキーイング（ＢＰＳＫ）を使用して変調される。例示的な実施形態では、ＡＣＫＣＨ２５１０は、第１の順方向補足チャネル（Ｆ−ＳＣＨ１）上の送信を終了するためにＢＳにシグナリングすることができる。相対的チャネル利得２５１６は結果として生じる信号に適用され、付加的なコンバイナ２５１８に供給される。
【０１５４】
図２５でさらに示されているように、両方のＲ−ＡＣＫチャネルは、ＲＬ信号の直角位相（Ｑ）コンポーネント上へと、逆基本チャネル（Ｒ−ＦＣＨ）と組み合わせられることができる。Ｒ−ＦＣＨは、２０ｍｓ当たり１５３６シンボルのレートを有し、そしてモジュレータ２５３４を使用して、ウォルシュ関数Ｗ（１６，４）２５３２上へと変調される。相対的チャネル利得２５３６は結果として生じる信号に適用され、付加的なコンバイナ２５１８に供給される。付加的なコンバイナの出力は、ＢＳへの逆方向リンク送信のために、直角位相（Ｑ）チャネル２５２８上で提供されることができる。
【０１５５】
図２５でさらに示されているように、第３の逆方向ＡＣＫチャネル（Ｒ−ＡＣＫＣＨ）２５５０は、モジュレータ２５５４を使用して、ウォルシュ関数Ｗ（１６，８）２５５２上へと、オン・オフ・キーイング（ＯＯＫ）を使用して変調される。例示的な実施形態では、ＡＣＫＣＨ２５５０は、第２の順方向補足チャネル（Ｆ−ＳＣＨ２）上の送信を終了するために、ＢＳにシグナリングすることができる。相対的チャネル利得２５５６は結果として生じる信号に適用され、付加的なコンバイナ２５４８に供給される。Ｒ−ＡＣＫＣＨ２５５０は、同相（Ｉ）の逆方向リンク信号２５４４を生成するために、加算器２５４８を使用して、逆パイロットチャネル（Ｒ−ＰＩＣＨ）２５４０と組み合わせられることができる。
【０１５６】
当業者は、順方向リンクのための特定ＡＣＫシグナリングスキームの上記説明は、説明の目的のためだけに与えられており、順方向チャネルと逆方向チャネルのためのいずれの特定のＡＣＫシグナリングスキームに本開示の範囲を制限することを意味していないということを理解するであろう。
【０１５７】
図２６は、本開示にしたがった方法２６００の例示的な実施形態を図示する。方法２６００は、説明の目的のためだけに示されており、いずれの特定の方法に本開示の範囲を制限することを意味していないということを留意されたい。
【０１５８】
ステップ２６１０で、ボイスフレームが受信される。
【０１５９】
ステップ２６２０で、方法は、受信されたボイスフレームの早期復号を試みる。例示的な実施形態では、早期復号は、フレームのすべてのサブセグメントが受信される前に試みられる。
【０１６０】
ステップ２６３０で、方法は、試みられたボイスフレーム復号が成功したかを決定する。例示的な実施形態では、ＣＲＣのようなフレーム品質インジケータが、フレーム復号が成功したかを決定するためにチェックされることができる。
【０１６１】
ステップ２６４０で、肯定応答信号（ＡＣＫ）は、ボイスフレーム送信を終了するために送信される。
【０１６２】
本開示の早期終了技術は、モバイルが「ソフトハンドオフ(soft handoff)」状態にある、すなわちＭＳが順方向リンク及び／または逆方向リンク上で複数のＢＳと同時に通信する、シチュエーションに容易に適用されることができる。
【０１６３】
例えば、ＭＳが２つのＢＳの間でソフトハンドオフ状態にあるとき、ＭＳによる逆方向リンク送信は、２つのＢＳのそれぞれにおいて受信されることができ、それらのいずれ、または、両方は、ＭＳ送信を止めるために、ＭＳに戻って、ＡＣＫ信号を送信することができる（同時である必要はない）。例示的な実施形態では、逆方向リンクフレーム送信のコース上で１以上のＡＣＫ信号を受信することに応じて、ＭＳは、ＡＣＫ信号の初めを受信した後で現在のフレームの送信を止めることができる。更に、早期終了は、ＭＳに対する、２つのＢＳによる順方向リンク送信を制御するために、同様に適用されることができる。例えば、２つのＢＳから同時に受信されるフレームの成功した早期復号に応じて、ＭＳは、順方向リンク上で両方のＢＳによる送信を止めるためにＡＣＫ信号を送信することができる。このような代替の例示的な実施形態は、本開示の範囲内にあるように熟考される。
【０１６４】
当業者は、情報と信号は様々な異なる技術及び技法のいずれかを使用して表わされることができるということを理解するであろう。例えば、上記の説明の全体にわたって参照されることができる、データ、命令、コマンド、情報、信号、ビット、シンボル、及びチップは、電圧、電流、電磁波、磁場あるいは磁粒子、光場あるいは光学粒子、あるいはそれらのいずれの組み合わせ、によって表わされることができる。
【０１６５】
当業者は、様々な説明のための論理ブロック、モジュール、回路、および、ここに開示された実施形態に関連して説明されたアルゴリズムステップは、電子ハードウェア、コンピュータソフトウェアあるいは両方の組合せとしてインプリメントされることができる、ということをさらに理解するであろう。このハードウェアとソフトウェアの互換性を明瞭に図示するために、様々な説明のためのコンポーネント、ブロック、モジュール、回路、及びステップが、一般的に、それらの機能性という観点から、上記に説明されてきた。そのような機能性が、ハードウェアあるいはソフトウェアとしてインプリメントされるかどうかは、特定のアプリケーションと全体のシステムに課された設計制約(design constraints)によって決まる。熟練職人は、各特定のアプリケーションについての様々な方法で、説明された機能性をインプリメントすることができるが、そのようなインプリメンテーションの決定は、本発明の範囲からの逸脱を生じさせるものとして解釈されるべきでない。
【０１６６】
ここにおいて開示された例示的な実施形態に関連して説明された、論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、あるいは他のプログラマブル論理回路、ディスクリートゲートあるいはトランジスタロジック、ディスクリートハードウェアコンポーネント、あるいは、ここに説明された機能を実行するように設計されたそれらのいずれの組み合わせ、でインプリメントされる、あるいは実行されることができる。汎用プロセッサは、マイクロプロセッサであってもよいが、代替として、プロセッサは、いずれの従来プロセッサ、コントローラ、マイクロコントローラ、あるいはステートマシン(state machine)であってもよい。プロセッサはまた、コンピューティングデバイス(computing devices)の組み合わせ、例えば、ＤＳＰとマイクロプロセッサとの組み合わせ、複数のマイクロプロセッサ、ＤＳＰコアと併用しての１以上のマイクロプロセッサ、あるいはいずれの他のそのような構成のもの、としてインプリメントされることができる。
【０１６７】
ここにおいて開示された例示的な態様に関して記載された方法またはアルゴリズムのステップは、直接ハードウェアにおいて、プロセッサによって実行されるソフトウェアモジュールにおいて、または２つの組み合わせにおいて具現化されることができる。ソフトウェアモジュール、ランダムアクセスメモリ（ＲＡＭ）、フラッシュメモリ、読み出し専用メモリ、電子的プログラマバルＲＯＭ（ＥＰＲＯＭ）、電子的消去可能プログラマブルＲＯＭ（ＥＥＰＲＯＭ）、レジスタ、ハードディスク、リムーバブルディスク、ＣＤ−ＲＯＭ、あるいは当技術分野において知られている記憶媒体のいずれの他の形態、において存在することができる。例示的な記憶媒体は、プロセッサに結合されるので、プロセッサが記憶媒体から情報を読み取ることができ、また記憶媒体に情報を書き込むことができる。あるいは、記憶媒体は、プロセッサに一体化されてもよい。プロセッサと記憶メディアは、ＡＳＩＣにおいて常駐していてもよい。さらに、ＡＳＩＣは、ユーザ機器に存在していてもよい。あるいは、プロセッサと記憶媒体は、ユーザ端末において、ディスクリートコンポーネントとして存在していてもよい。
【０１６８】
1つまたは複数の実施形態では、説明された機能は、ハードウェア、ソフトウェア、ファームウェアあるいはそれらのいずれかの組み合わせにおいてインプリメントされることができる。ソフトウェアでインプリメントされる場合には、機能は、コンピュータ可読媒体上で、1つまたは複数の命令あるいはコードとして、記憶されてもよく、あるいは、送信されることができる。コンピュータ可読媒体は、ある場所から別の場所へのコンピュータプログラムの移送(transfer)を容易にするいずれの媒体も含んでいる、コンピュータ記憶媒体(computer storage media)と通信媒体(communication media)の両方を含む。記憶媒体は、コンピュータによってアクセスされることができる、いずれの利用可能な媒体であることができる。例として、また限定されないが、そのようなコンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータストラクチャの形態において望まれるプログラムコードを保存あるいは搬送するために使用されることができる、また、コンピュータによってアクセスされることができる、いずれの他の媒体も備えることができる。また、いずれの接続(connection)もコンピュータ可読メディア(computer-readable medium)と適切に名付けられる。例えば、ソフトウェアがウェブサイト、サーバ、あるいは、同軸ケーブル、光ファイバーケーブル、ツイストペア(twisted pair)、デジタル加入者ライン(digital subscriber line)(ＤＳＬ)、あるいは赤外線、無線、およびマイクロ波のようなワイヤレス技術を使用している他の遠隔ソース、から送信される場合には、そのときには、同軸ケーブル、光ファイバーケーブル、ツイストペア、ＤＳＬ、あるいは赤外線、無線、およびマイクロ波のようなワイヤレス技術は、媒体(medium)の定義に含まれる。ここにおいて使用されているように、ディスク(disk)とディスク(disc)は、コンパクトディスク(compact disc)(ＣＤ)、レーザーディスク(登録商標)(laser disc)、光学ディスク(optical disc)、デジタル汎用ディスク(digital versatile disc)（ＤＶＤ）、フロッピー(登録商標)ディスク(disk)およびブルーレイディスク(blu-ray disc)を含んでおり、「ディスク(disks)」は、大抵、データを磁気で再生しているが、「ディスク(discs)」は、レーザーで光学的に再生する。上記の組み合わせはまた、コンピュータ可読媒体の範囲内に含まれるべきである。上記のものの組み合わせも、また、コンピュータ可読媒体の範囲内に含まれるべきである。
【０１６９】
開示された態様の上記の説明は、いずれの当業者も本発明を作るまたは使用することを可能にするために提供されている。これらの態様に対する様々な修正は、当業者にとっては容易に明らかであろう、そして、ここにおいて定義された包括的な原理は、本開示の精神あるいは範囲から逸脱することなく、他の例示的な実施形態に適用されることができる。したがって、本開示は、ここに示された例示的な実施形態に限定されるようには意図されておらず、ここに開示された原理および新規な特徴に整合する最も広い範囲が与えられるべきである。
【図１】
2014096799.tif 000003
【図２】
2014096799.tif 000004
【図３】
2014096799.tif 000005
【図４】
2014096799.tif 000006
【図５】
2014096799.tif 000007
【図５Ａ】
2014096799.tif 000008
【図６】
2014096799.tif 000009
【図７】
2014096799.tif 000010
【図８】
2014096799.tif 000011
【図９】
2014096799.tif 000012
【図９Ａ】
2014096799.tif 000013
【図１０】
2014096799.tif 000014
【図１１】
2014096799.tif 000015
【図１２】
2014096799.tif 000016
【図１３】
2014096799.tif 000017
【図１４】
2014096799.tif 000018
【図１５】
2014096799.tif 000019
【図１６】
2014096799.tif 000020
【図１６Ａ】
2014096799.tif 000021
【図１７】
2014096799.tif 000022
【図１８】
2014096799.tif 000023
【図１９】
2014096799.tif 000024
【図２０】
2014096799.tif 000025
【図２１】
2014096799.tif 000026
【図２２】
2014096799.tif 000027
【図２３】
2014096799.tif 000028
【図２４】
2014096799.tif 000029
【図２５】
2014096799.tif 000030
【図２６】
2014096799.tif 000031
【手続補正書】
【提出日】平成25年12月11日(2013.12.11)
【手続補正１】
【補正対象書類名】特許請求の範囲
【補正対象項目名】全文
【補正方法】変更
【補正の内容】
【特許請求の範囲】
【請求項１】
(a1)通信チャネル上のシーケンシャルフレーム送信の早期終了のための方法であって、前記方法は、
(a2)第１のフレームを受信機に連続的に送信することと、
(a3)前記第１のフレームを送信している間に、前記受信機から肯定応答メッセージを受信することと、
(a4)前記肯定応答メッセージを受信した後で前記第１のフレームの送信を止めることと、
を備えている、方法。
【請求項２】
各フレームは送信について固定された時間インターバルを割り付けられ、
前記固定された時間インターバルが前記第１のフレームについて経過した後で、第２のフレームの送信を開始すること、
をさらに備え、前記第２のフレームは、フレームシーケンスにおいて前記第１のフレームにすぐに続く、請求項１に記載の方法。
【請求項３】
前記受信機からパワー制御メッセージを受信することに応じて前記第１のフレームの送信パワーを調整すること、をさらに備えている請求項１に記載の方法。
【請求項４】
各フレームは、複数のシーケンシャルサブセグメントへとフォーマット化されており、前記連続的に送信することは、
前記受信機に対しシーケンスで前記第１のフレームのサブセグメントを連続的に送信すること、
を備えている、請求項１に記載の方法。
【請求項５】
各フレームは、時間にわたってインタリーブされた、フラクショナルエンコードされたビットを備えている、請求項１に記載の方法。
【請求項６】
(b1)通信チャネル上のシーケンシャルフレーム送信の早期終了のための方法であって、前記方法は、
(b2)送信機から第１のフレームを連続的に受信することと；
(b2-1)全体の第１のフレームを受信する前に、前記第１のフレームを復号することを試みること；
(b2-2)前記試みの結果に基づいて、成功フレーム復号を決定することと；
(b3)前記成功フレーム復号を決定することに基づいて、前記送信機に対して肯定応答メッセージを送信することと、(b4)なお、前記肯定応答メッセージは、前記第１のフレームの送信を止めるように動作できる；
を備えている、方法。
【請求項７】
各フレームは、送信について固定された時間インターバルを割り付けられ、
前記固定された時間インターバルが前記第１の時間について経過した後で、第２のフレームを受信することを開始すること、
をさらに備え、前記第２のフレームは、フレームシーケンスにおいて前記第１のフレームにすぐに続く、請求項６に記載の方法。
【請求項８】
前記第１のフレームの送信パワーを調整するために、前記送信機に対してパワー制御メッセージを送信すること、を更に備えている請求項６に記載の方法。
【請求項９】
各フレームは複数のシーケンシャルサブセグメントへとフォーマット化されており、前記連続的受信することは、
前記送信機からシーケンスで前記第１のフレームのサブセグメントを連続的に受信すること、
を備えている、請求項６に記載の方法。
【請求項１０】
前記肯定応答メッセージを送信することは、予め決定された時間においてのみ送信することをさらに備えている、請求項６に記載の方法。
【請求項１１】
前記肯定応答メッセージを送信することは、肯定応答マスクにしたがって送信することをさらに備えている、請求項１０に記載の方法。
【請求項１２】
前記肯定応答マスクは、前記肯定応答メッセージを送信するための完全サブセグメントよりも少ない持続時間を有しているインターバルを指定している、請求項１１に記載の方法。
【請求項１３】
前記送信機から前記肯定応答マスクを受信すること、をさらに備えている請求項１２に記載の方法。
【請求項１４】
前記肯定応答メッセージを送信することは、
肯定応答メッセージと関連づけられたウォルシュ関数を備えている肯定応答信号にノンゼロ利得を適用することと、
送信についてトラヒック信号と前記肯定応答信号を組み合わせることと、
を備えている、請求項６に記載の方法。
【請求項１５】
前記連続的に受信されたフレームは第１のチャネル上で受信されており、前記肯定応答メッセージを送信することは、第１の肯定応答チャネル上で行われており、前記方法は、
前記送信機から、第２のチャネル上で第２のフレームを連続的に受信することと；
全体の第２のフレームを受信する前に前記第２のフレームを復号することを試みることと；
前記第２のフレームを復号することを試みた結果に基づいて、成功フレーム復号を決定することと；
前記第２のフレームについての前記成功フレーム復号を決定することに基づいて、前記送信機に対して肯定応答メッセージを送信することと、なお前記肯定応答メッセージは、前記第２のフレームの送信を止めるように動作できる；
を備えている、請求項６に記載方法。
【請求項１６】
第２の連続的に送信されたフレームを第２の送信機から連続的に受信することと；
全体の第２のフレームを受信する前に前記第２のフレームを復号することを試みることと；
前記試みの結果に基いて前記第２のフレームの成功復号を決定することと；
前記第２のフレームの前記成功復号を決定することに基づいて、前記第２の送信機に対して肯定応答メッセージを送信することと、なお、前記肯定応答メッセージは、前記第２のフレームの残余部分の送信を終了するように動作でき、前記肯定応答メッセージを前記送信機に対して送信することは、共通の肯定応答チャネル上で少なくとも１つのビットを変調することを備えており、前記第２の送信機に対して前記肯定応答メッセージを送信することは、同じ共通肯定応答チャネル上で少なくとも１つの他のビットを変調することを備えている；
をさらに備えている請求項６に記載の方法。
【請求項１７】
単一のウォルシュ関数を使用して前記共通の肯定応答チャネルを拡散すること、をさらに備えている請求項１６に記載の方法。
【請求項１８】
前記送信機に対して送信される前記肯定応答メッセージに対応する前記少なくとも１つのビットは、前記第２の送信機に対して送信される前記肯定応答メッセージに対応する前記少なくとも1つの他のビットと、前記同じ共通肯定応答チャネル上で時間多重化されている、請求項１６に記載の方法。
【請求項１９】
前記肯定応答メッセージを送信することは、オン−オフキーイングを使用して、別個のウォルシュコード上で信号を変調することを備えている、請求項６に記載の方法。
【請求項２０】
前記肯定応答メッセージを送信することは、トラヒックチャネルの少なくとも１つのＡＣＫビットを変調することを備えており、前記少なくとも１つのＡＣＫビットは、前記トラヒックチャネル上で少なくとも１つのトラヒックビットをサプラントする、請求項６に記載の方法。
【請求項２１】
前記トラヒックチャネルにおける前記ＡＣＫビットの位置は、フレームあたりのベースで異なる、請求項２０に記載の方法。
【請求項２２】
(c1)通信チャネル上のシーケンシャルフレーム送信の早期終了のための装置であって、前記装置は、
(c2)第１のフレームを受信機に連続的に送信するように構成された送信機と、
(c3)前記第１のフレームを送信している間に、前記受信機から肯定応答メッセージを受信するように構成された受信機モジュールと、
(c4)前記肯定応答メッセージを受信した後で前記第１のフレームの送信を止めるように構成された前記送信機と、
を備えている装置。
【請求項２３】
各フレームは、送信について固定された時間インターバルを割り付けられ、前記送信機は、前記固定された時間インターバルが前記第１の時間について経過した後で、第２のフレームの送信を開始するようにさらに構成されており、前記第２のフレームは、フレームシーケンスにおいて前記第１のフレームにすぐに続く、請求項２２に記載の装置。
【請求項２４】
前記送信機は、前記受信機からパワー制御メッセージを受信することに応じて前記第１のフレームの送信パワーを調整するようにさらに構成されている、請求項２２に記載の装置。
【請求項２５】
各フレームは、複数のシーケンシャルサブセグメントへとフォーマット化されており、前記送信機は、
前記受信機に対しシーケンスで前記第１のフレームのサブセグメントを連続的に送信すること、
によって連続的に送信するように構成されている、請求項２２に記載の装置。
【請求項２６】
各フレームは、時間にわたってインタリーブされた、フラクショナルエンコードされたビットを備えている、請求項２２に記載の装置。
【請求項２７】
(d1)通信チャネル上のシーケンシャルフレーム送信の早期終了のための装置であって、前記装置は、
(d2)送信機から第１のフレームを連続的に受信するように構成された受信機と；
(dx-1)全体の第１のフレームを受信する前に、前記第１のフレームを復号することを試みるように、
(dx-2)前記試みの結果に基づいて、成功フレーム復号を決定するように、
(dx)構成されたプロセッサと；
(d3)前記成功フレーム復号を決定することに基づいて前記送信機に対して肯定応答メッセージを送信するように構成された送信機モジュールと、(d4)なお、前記肯定応答メッセージは、前記第１のフレームの送信を止めるように動作できる；
を備えている、装置。
【請求項２８】
各フレームは、送信について固定された時間インターバルを割り付けられ、前記プロセッサは、
前記固定された時間インターバルが前記第１のフレームについて経過した後で、第２のフレームを受信することを開始するように、
さらに構成されており、前記第２のフレームは、フレームシーケンスにおいて前記第１のフレームにすぐに続く、請求項２７に記載の装置。
【請求項２９】
前記送信機モジュールは、前記第１のフレームの送信パワーを調整するために、前記送信機に対してパワー制御メッセージを送信するようにさらに構成されている、請求項２７に記載の装置。
【請求項３０】
各フレームは複数のシーケンシャルサブセグメントへとフォーマット化されており、前記受信機は、
前記送信機からシーケンスで前記第１のフレームのサブセグメントを連続的に受信すること、
によって連続的に受信するように構成されている、請求項２７に記載の装置。
【請求項３１】
前記送信機モジュールは、予め決定された時間においてのみ前記肯定応答メッセージを送信するようにさらに構成されている、請求項３０に記載の装置。
【請求項３２】
前記送信機モジュールは、肯定応答マスクにしたがって前記肯定応答メッセージを送信するようにさらに構成されている、請求項３１に記載の装置。
【請求項３３】
前記肯定応答マスクは、前記肯定応答メッセージを送信するための完全サブセグメントよりも少ない持続時間を有しているインターバルを指定している、請求項３２に記載の装置。
【請求項３４】
前記受信機は、前記送信機から前記肯定応答マスクを受信するようにさらに構成されている、請求項３２に記載の装置。
【請求項３５】
前記送信機モジュールは、
肯定応答メッセージと関連づけられたウォルシュ関数を備えている肯定応答信号にノンゼロ利得を適用することと、
送信についてトラヒック信号と前記肯定応答信号を組み合わせることと、
によって前記肯定応答メッセージを送信するように構成されている、請求項３２に記載の装置。
【請求項３６】
前記連続的に受信されたフレームは第１のチャネル上で受信されており、前記送信機モジュールは、第１の肯定応答チャネル上で前記肯定応答メッセージを送信するようにさらに構成されており、前記受信機は、前記送信機から、第２のチャネル上で第２のフレームを連続的に受信するようにさらに構成されており、前記プロセッサは、全体の第２のフレームを受信する前に前記第２のフレームを復号することを試みるようにさらに構成されており、前記プロセッサは、前記第２のフレームを復号することを試みた結果に基いて、成功フレーム復号を決定するようにさらに構成されており、前記送信機モジュールは、前記第２のフレームについて前記成功フレーム復号を決定することに基づいて、前記送信機に対して肯定応答メッセージを送信するようにさらに構成されており、前記肯定応答メッセージは、前記第２のフレームの送信を止めるように動作できる、請求項２７に記載の装置。
【請求項３７】
前記受信機は、第２の連続的に送信されたフレームを第２の送信機から連続的に受信するようにさらに構成され、前記プロセッサは、全体の第２のフレームを受信する前に前記第２のフレームを復号することを試みるようにさらに構成され、前記プロセッサは、前記試みの結果に基いて前記第２のフレームの成功復号を決定するようにさらに構成され、前記送信機モジュールは、前記第２のフレームの前記成功復号を決定することに基づいて、前記第２の送信機に対して肯定応答メッセージを送信するようにさらに構成され、なお、前記肯定応答メッセージは、前記第２のフレームの残余部分の送信を終了するように動作でき、前記送信機モジュールは、共通の肯定応答チャネル上で少なくとも１つのビットを変調することによって前記送信機に対して前記肯定応答メッセージを送信するようにさらに構成されており、前記送信機モジュールは、同じ共通肯定応答チャネル上で少なくとも１つの他のビットを変調することによって、前記第２の送信機に対して前記肯定応答メッセージを送信するようにさらに構成されている、請求項２７に記載の装置。
【請求項３８】
前記送信機モジュールは、単一のウォルシュ関数を使用して前記共通の肯定応答チャネルを拡散するようにさらに構成されている、請求項３７に記載の装置。
【請求項３９】
前記送信機に対して送信される前記肯定応答メッセージに対応する前記少なくとも１つのビットは、前記第２の送信機に対して送信される前記肯定応答メッセージに対応する前記少なくとも１つの他のビットと、前記同じ共通肯定応答チャネル上で時間多重化されている、請求項３７に記載の装置。
【請求項４０】
前記送信機モジュールは、オン−オフキーイングを使用して、別個のウォルシュコード上で信号を変調することによって、肯定応答メッセージを送信するようにさらに構成されている、請求項２７に記載の装置。
【請求項４１】
前記送信機モジュールは、トラヒックチャネルの少なくとも１つのＡＣＫビットを変調することによって、肯定応答メッセージを送信するようにさらに構成されており、前記少なくとも１つのＡＣＫビットは、前記トラヒックチャネル上で少なくとも１つのトラヒックビットをサプラントする、請求項２７に記載の装置。
【請求項４２】
前記トラヒックチャネルにおける前記ＡＣＫビットの位置は、フレームあたりのベースで異なる、請求項４１に記載の装置。
【請求項４３】
(g1)通信チャネル上のフレーム送信の早期終了をコンピュータに実行させるための命令を保存するコンピュータ可読記憶媒体であって、前記媒体は、コンピュータに、
(g2)連続的に送信されたフレームを送信機から受信させる命令と；
(gx-1)全体の連続的に送信されたフレームを受信する前に、前記フレームを復号することを試みさせる命令と；
(gx-2)前記試みの結果に基づいて成功フレーム復号を決定させる命令と；
(g3)前記成功フレーム復号を決定することに基づいて前記送信機に対して肯定応答メッセージを送信させる命令と、(g4)なお、前記肯定応答メッセージは、前記連続的に送信されたフレームの残余部分の送信を終了するように動作できる；
を保存する、
コンピュータ可読記憶媒体。
【請求項４４】
(h1)通信チャネル上のフレーム送信の早期終了のためにコンピュータに実行させるための命令を保存しているコンピュータ可読記憶媒体であって、(hx-1)各フレームは、送信について固定された時間インターバルを割り付けられており、前記媒体は、コンピュータに、
(h2)第１のフレームを連続的に送信させる命令と、
(h3)前記第１のフレームを送信している間に、受信機から肯定応答メッセージを受信させる命令と、
(h4)前記肯定応答メッセージを受信した後で、前記第１のフレームの送信を止めさせる命令と、
(hx-2)前記固定された時間インターバルが前記第１のフレームについて経過した後で第２のフレームを送信することを開始させる命令と、
を保存する、
コンピュータ可読記憶媒体。
【請求項４５】
(i1)通信チャネル上のシーケンシャルフレーム送信の早期終了のための方法であって、前記方法は、
(i2)少なくとも１つの受信機に対して第１のフレームを連続的に送信することと、
(i3)前記第１のフレームを送信している間に、前記少なくとも１つの受信機から少なくとも１つの肯定応答メッセージを受信することと、
(i4)前記少なくとも１つの肯定応答メッセージのうちの第１のものを受信した後で、前記第１のフレームの送信を止めることと、
を備えている、方法。
【請求項４６】
前記少なくとも１つの受信機は、第１の受信機と第２の受信機とを備えており、前記少なくとも１つの受信機から前記少なくとも１つの肯定応答メッセージを受信することは、前記第１の受信機からの肯定応答メッセージと第２の受信機からの肯定応答メッセージとを受信することを備えている、請求項４５に記載の方法。
【請求項４７】
(j1)通信チャネル上のシーケンシャルフレーム送信の早期終了のための方法であって、前記方法は、
(j2)少なくとも１つの送信機から第１のフレームを連続的に受信することと；
(jx-1)全体の第１のフレームを受信する前に、前記第１のフレームを復号することを試みること；
(jx-2)前記試みの結果に基づいて、成功フレーム復号を決定することと；
(j3)前記成功フレーム復号を決定することに基づいて、肯定応答メッセージを送信することと、(j4)なお、前記肯定応答メッセージは、前記少なくとも１つの送信機のそれぞれによって前記第１のフレームの送信を止めるように動作できる；
を備えている、方法。
【請求項４８】
前記少なくとも１つの送信機は、第１の送信機と第２の送信機とを備えており、前記肯定応答メッセージを送信することは、前記第１の送信機と前記第２の送信機の両方に対して、前記肯定応答メッセージを送信することを備えている、請求項４７に記載の方法。
【手続補正２】
【補正対象書類名】明細書
【補正対象項目名】０１６９
【補正方法】変更
【補正の内容】
【０１６９】
開示された態様の上記の説明は、いずれの当業者も本発明を作るまたは使用することを可能にするために提供されている。これらの態様に対する様々な修正は、当業者にとっては容易に明らかであろう、そして、ここにおいて定義された包括的な原理は、本開示の精神あるいは範囲から逸脱することなく、他の例示的な実施形態に適用されることができる。したがって、本開示は、ここに示された例示的な実施形態に限定されるようには意図されておらず、ここに開示された原理および新規な特徴に整合する最も広い範囲が与えられるべきである。
以下に、本願出願の当初の特許請求の範囲に記載された発明を付記する。
［Ｃ１］  通信チャネル上のシーケンシャルフレーム送信の早期終了のための方法であって、前記方法は、
第１のフレームを受信機に連続的に送信することと、
前記第１のフレームを送信している間に、前記受信機から肯定応答メッセージを受信することと、
前記肯定応答メッセージを受信した後で前記第１のフレームの送信を止めることと、
を備えている、方法。
［Ｃ２］  各フレームは送信について固定された時間インターバルを割り付けられ、
前記固定された時間インターバルが前記第１のフレームについて経過した後で、第２のフレームの送信を開始すること、
をさらに備え、前記第２のフレームは、フレームシーケンスにおいて前記第１のフレームにすぐに続く、Ｃ１に記載の方法。
［Ｃ３］  前記受信機からパワー制御メッセージを受信することに応じて前記第１のフレームの送信パワーを調整すること、をさらに備えているＣ１に記載の方法。
［Ｃ４］  各フレームは、複数のシーケンシャルサブセグメントへとフォーマット化されており、前記連続的に送信することは、
前記受信機に対しシーケンスで前記第１のフレームのサブセグメントを連続的に送信すること、
を備えている、Ｃ１に記載の方法。
［Ｃ５］  各フレームは、時間にわたってインタリーブされた、フラクショナルエンコードされたビットを備えている、Ｃ１に記載の方法。
［Ｃ６］  通信チャネル上のシーケンシャルフレーム送信の早期終了のための方法であって、前記方法は、
送信機から第１のフレームを連続的に受信することと；
全体の第１のフレームを受信する前に、前記第１のフレームを復号することを試みること；
前記試みの結果に基づいて、成功フレーム復号を決定することと；
前記成功フレーム復号を決定することに基づいて、前記送信機に対して肯定応答メッセージを送信することと、なお、前記肯定応答メッセージは、前記第１のフレームの送信を止めるように動作できる；
を備えている、方法。
［Ｃ７］  各フレームは、送信について固定された時間インターバルを割り付けられ、
前記固定された時間インターバルが前記第１の時間について経過した後で、第２のフレームを受信することを開始すること、
をさらに備え、前記第２のフレームは、フレームシーケンスにおいて前記第１のフレームにすぐに続く、Ｃ６に記載の方法。
［Ｃ８］  前記第１のフレームの送信パワーを調整するために、前記送信機に対してパワー制御メッセージを送信すること、を更に備えているＣ６に記載の方法。
［Ｃ９］  各フレームは複数のシーケンシャルサブセグメントへとフォーマット化されており、前記連続的受信することは、
前記送信機からシーケンスで前記第１のフレームのサブセグメントを連続的に受信すること、
を備えている、Ｃ６に記載の方法。
［Ｃ１０］  前記肯定応答メッセージを送信することは、予め決定された時間においてのみ送信することをさらに備えている、Ｃ６に記載の方法。
［Ｃ１１］  前記肯定応答メッセージを送信することは、肯定応答マスクにしたがって送信することをさらに備えている、Ｃ１０に記載の方法。
［Ｃ１２］  前記肯定応答マスクは、前記肯定応答メッセージを送信するための完全サブセグメントよりも少ない持続時間を有しているインターバルを指定している、Ｃ１１に記載の方法。
［Ｃ１３］  前記送信機から前記肯定応答マスクを受信すること、をさらに備えているＣ１２に記載の方法。
［Ｃ１４］  前記肯定応答メッセージを送信することは、
肯定応答メッセージと関連づけられたウォルシュ関数を備えている肯定応答信号にノンゼロ利得を適用することと、
送信についてトラヒック信号と前記肯定応答信号を組み合わせることと、
を備えている、Ｃ６に記載の方法。
［Ｃ１５］  前記連続的に受信されたフレームは第１のチャネル上で受信されており、前記肯定応答メッセージを送信することは、第１の肯定応答チャネル上で行われており、前記方法は、
前記送信機から、第２のチャネル上で第２のフレームを連続的に受信することと；
全体の第２のフレームを受信する前に前記第２のフレームを復号することを試みることと；
前記第２のフレームを復号することを試みた結果に基づいて、成功フレーム復号を決定することと；
前記第２のフレームについての前記成功フレーム復号を決定することに基づいて、前記送信機に対して肯定応答メッセージを送信することと、なお前記肯定応答メッセージは、前記第２のフレームの送信を止めるように動作できる；
を備えている、Ｃ６に記載方法。
［Ｃ１６］  第２の連続的に送信されたフレームを第２の送信機から連続的に受信することと；
全体の第２のフレームを受信する前に前記第２のフレームを復号することを試みることと；
前記試みの結果に基いて前記第２のフレームの成功復号を決定することと；
前記第２のフレームの前記成功復号を決定することに基づいて、前記第２の送信機に対して肯定応答メッセージを送信することと、なお、前記肯定応答メッセージは、前記第２のフレームの残余部分の送信を終了するように動作でき、前記肯定応答メッセージを前記送信機に対して送信することは、共通の肯定応答チャネル上で少なくとも１つのビットを変調することを備えており、前記第２の送信機に対して前記肯定応答メッセージを送信することは、同じ共通肯定応答チャネル上で少なくとも１つの他のビットを変調することを備えている；
をさらに備えているＣ６に記載の方法。
［Ｃ１７］  単一のウォルシュ関数を使用して前記共通の肯定応答チャネルを拡散すること、をさらに備えているＣ１６に記載の方法。
［Ｃ１８］  前記送信機に対して送信される前記肯定応答メッセージに対応する前記少なくとも１つのビットは、前記第２の送信機に対して送信される前記肯定応答メッセージに対応する前記少なくとも1つの他のビットと、前記同じ共通肯定応答チャネル上で時間多重化されている、Ｃ１６に記載の方法。
［Ｃ１９］  前記肯定応答メッセージを送信することは、オン−オフキーイングを使用して、別個のウォルシュコード上で信号を変調することを備えている、Ｃ６に記載の方法。
［Ｃ２０］  前記肯定応答メッセージを送信することは、トラヒックチャネルの少なくとも１つのＡＣＫビットを変調することを備えており、前記少なくとも１つのＡＣＫビットは、前記トラヒックチャネル上で少なくとも１つのトラヒックビットをサプラントする、Ｃ６に記載の方法。
［Ｃ２１］  前記トラヒックチャネルにおける前記ＡＣＫビットの位置は、フレームあたりのベースで異なる、Ｃ２０に記載の方法。
［Ｃ２２］  通信チャネル上のシーケンシャルフレーム送信の早期終了のための装置であって、前記装置は、
第１のフレームを受信機に連続的に送信するように構成された送信機と、
前記第１のフレームを送信している間に、前記受信機から肯定応答メッセージを受信するように構成された受信機モジュールと、
前記肯定応答メッセージを受信した後で前記第１のフレームの送信を止めるように構成された前記送信機と、
を備えている装置。
［Ｃ２３］  各フレームは、送信について固定された時間インターバルを割り付けられ、前記送信機は、前記固定された時間インターバルが前記第１の時間について経過した後で、第２のフレームの送信を開始するようにさらに構成されており、前記第２のフレームは、フレームシーケンスにおいて前記第１のフレームにすぐに続く、Ｃ２２に記載の装置。
［Ｃ２４］  前記送信機は、前記受信機からパワー制御メッセージを受信することに応じて前記第１のフレームの送信パワーを調整するようにさらに構成されている、Ｃ２２に記載の装置。
［Ｃ２５］  各フレームは、複数のシーケンシャルサブセグメントへとフォーマット化されており、前記送信機は、
前記受信機に対しシーケンスで前記第１のフレームのサブセグメントを連続的に送信すること、
によって連続的に送信するように構成されている、Ｃ２２に記載の装置。
［Ｃ２６］  各フレームは、時間にわたってインタリーブされた、フラクショナルエンコードされたビットを備えている、Ｃ２２に記載の装置。
［Ｃ２７］  通信チャネル上のシーケンシャルフレーム送信の早期終了のための装置であって、前記装置は、
送信機から第１のフレームを連続的に受信するように構成された受信機と；
全体の第１のフレームを受信する前に、前記第１のフレームを復号することを試みるように、
前記試みの結果に基づいて、成功フレーム復号を決定するように、
構成されたプロセッサと；
前記成功フレーム復号を決定することに基づいて前記送信機に対して肯定応答メッセージを送信するように構成された送信機モジュールと、なお、前記肯定応答メッセージは、前記第１のフレームの送信を止めるように動作できる；
を備えている、装置。
［Ｃ２８］  各フレームは、送信について固定された時間インターバルを割り付けられ、前記プロセッサは、
前記固定された時間インターバルが前記第１のフレームについて経過した後で、第２のフレームを受信することを開始するように、
さらに構成されており、前記第２のフレームは、フレームシーケンスにおいて前記第１のフレームにすぐに続く、Ｃ２７に記載の装置。
［Ｃ２９］  前記送信機モジュールは、前記第１のフレームの送信パワーを調整するために、前記送信機に対してパワー制御メッセージを送信するようにさらに構成されている、Ｃ２７に記載の装置。
［Ｃ３０］  各フレームは複数のシーケンシャルサブセグメントへとフォーマット化されており、前記受信機は、
前記送信機からシーケンスで前記第１のフレームのサブセグメントを連続的に受信すること、
によって連続的に受信するように構成されている、Ｃ２７に記載の装置。
［Ｃ３１］  前記送信機モジュールは、予め決定された時間においてのみ前記肯定応答メッセージを送信するようにさらに構成されている、Ｃ３０に記載の装置。
［Ｃ３２］  前記送信機モジュールは、肯定応答マスクにしたがって前記肯定応答メッセージを送信するようにさらに構成されている、Ｃ３１に記載の装置。
［Ｃ３３］  前記肯定応答マスクは、前記肯定応答メッセージを送信するための完全サブセグメントよりも少ない持続時間を有しているインターバルを指定している、Ｃ３２に記載の装置。
［Ｃ３４］  前記受信機は、前記送信機から前記肯定応答マスクを受信するようにさらに構成されている、Ｃ３２に記載の装置。
［Ｃ３５］  前記送信機モジュールは、
肯定応答メッセージと関連づけられたウォルシュ関数を備えている肯定応答信号にノンゼロ利得を適用することと、
送信についてトラヒック信号と前記肯定応答信号を組み合わせることと、
によって前記肯定応答メッセージを送信するように構成されている、Ｃ３２に記載の装置。
［Ｃ３６］  前記連続的に受信されたフレームは第１のチャネル上で受信されており、前記送信機モジュールは、第１の肯定応答チャネル上で前記肯定応答メッセージを送信するようにさらに構成されており、前記受信機は、前記送信機から、第２のチャネル上で第２のフレームを連続的に受信するようにさらに構成されており、前記プロセッサは、全体の第２のフレームを受信する前に前記第２のフレームを復号することを試みるようにさらに構成されており、前記プロセッサは、前記第２のフレームを復号することを試みた結果に基いて、成功フレーム復号を決定するようにさらに構成されており、前記送信機モジュールは、前記第２のフレームについて前記成功フレーム復号を決定することに基づいて、前記送信機に対して肯定応答メッセージを送信するようにさらに構成されており、前記肯定応答メッセージは、前記第２のフレームの送信を止めるように動作できる、Ｃ２７に記載の装置。
［Ｃ３７］  前記受信機は、第２の連続的に送信されたフレームを第２の送信機から連続的に受信するようにさらに構成され、前記プロセッサは、全体の第２のフレームを受信する前に前記第２のフレームを復号することを試みるようにさらに構成され、前記プロセッサは、前記試みの結果に基いて前記第２のフレームの成功復号を決定するようにさらに構成され、前記送信機モジュールは、前記第２のフレームの前記成功復号を決定することに基づいて、前記第２の送信機に対して肯定応答メッセージを送信するようにさらに構成され、なお、前記肯定応答メッセージは、前記第２のフレームの残余部分の送信を終了するように動作でき、前記送信機モジュールは、共通の肯定応答チャネル上で少なくとも１つのビットを変調することによって前記送信機に対して前記肯定応答メッセージを送信するようにさらに構成されており、前記送信機モジュールは、同じ共通肯定応答チャネル上で少なくとも１つの他のビットを変調することによって、前記第２の送信機に対して前記肯定応答メッセージを送信するようにさらに構成されている、Ｃ２７に記載の装置。
［Ｃ３８］  前記送信機モジュールは、単一のウォルシュ関数を使用して前記共通の肯定応答チャネルを拡散するようにさらに構成されている、Ｃ３７に記載の装置。
［Ｃ３９］  前記送信機に対して送信される前記肯定応答メッセージに対応する前記少なくとも１つのビットは、前記第２の送信機に対して送信される前記肯定応答メッセージに対応する前記少なくとも１つの他のビットと、前記同じ共通肯定応答チャネル上で時間多重化されている、Ｃ３７に記載の装置。
［Ｃ４０］  前記送信機モジュールは、オン−オフキーイングを使用して、別個のウォルシュコード上で信号を変調することによって、肯定応答メッセージを送信するようにさらに構成されている、Ｃ２７に記載の装置。
［Ｃ４１］  前記送信機モジュールは、トラヒックチャネルの少なくとも１つのＡＣＫビットを変調することによって、肯定応答メッセージを送信するようにさらに構成されており、前記少なくとも１つのＡＣＫビットは、前記トラヒックチャネル上で少なくとも１つのトラヒックビットをサプラントする、Ｃ２７に記載の装置。
［Ｃ４２］  前記トラヒックチャネルにおける前記ＡＣＫビットの位置は、フレームあたりのベースで異なる、Ｃ４１に記載の装置。
［Ｃ４３］  通信チャネル上のフレーム送信の早期終了のための装置であって、前記装置は、
連続的に送信されたフレームを送信機から受信するための手段と、
全体のフレームを受信する前に前記送信機の送信を終了するための手段と、
を備えている、装置。
［Ｃ４４］  通信チャネル上のフレーム送信の早期終了のための装置であって、前記装置は、
第１のフレームを連続的に送信するための手段と、
受信機によって前記少なくとも１つの送信されたサブセグメントの成功復号に基いて、前記の連続的に送信することを終了するための手段と、
を備えている、装置。
［Ｃ４５］  通信チャネル上のフレーム送信の早期終了をコンピュータに実行させるための命令を保存するコンピュータ可読記憶媒体であって、前記媒体は、コンピュータに、
連続的に送信されたフレームを送信機から受信させる命令と；
全体の連続的に送信されたフレームを受信する前に、前記フレームを復号することを試みさせる命令と；
前記試みの結果に基づいて成功フレーム復号を決定させる命令と；
前記成功フレーム復号を決定することに基づいて前記送信機に対して肯定応答メッセージを送信させる命令と、なお、前記肯定応答メッセージは、前記連続的に送信されたフレームの残余部分の送信を終了するように動作できる；
を保存する、
コンピュータ可読記憶媒体。
［Ｃ４６］  通信チャネル上のフレーム送信の早期終了のためにコンピュータに実行させるための命令を保存しているコンピュータ可読記憶媒体であって、各フレームは、送信について固定された時間インターバルを割り付けられており、前記媒体は、コンピュータに、
第１のフレームを連続的に送信させる命令と、
前記第１のフレームを送信している間に、受信機から肯定応答メッセージを受信させる命令と、
前記肯定応答メッセージを受信した後で、前記第１のフレームの送信を止めさせる命令と、
前記固定された時間インターバルが前記第１のフレームについて経過した後で第２のフレームを送信することを開始させる命令と、
を保存する、
コンピュータ可読記憶媒体。
［Ｃ４７］  通信チャネル上のシーケンシャルフレーム送信の早期終了のための方法であって、前記方法は、
少なくとも１つの受信機に対して第１のフレームを連続的に送信することと、
前記第１のフレームを送信している間に、前記少なくとも１つの受信機から少なくとも１つの肯定応答メッセージを受信することと、
前記少なくとも１つの肯定応答メッセージの前記第１を受信した後で、前記第１のフレームの送信を止めることと、
を備えている、方法。
［Ｃ４８］  前記少なくとも１つの受信機は、第１の受信機と第２の受信機とを備えており、前記少なくとも１つの受信機から前記少なくとも１つの肯定応答メッセージを受信することは、前記第１の受信機からの肯定応答メッセージと第２の受信機からの肯定応答メッセージとを受信することを備えている、Ｃ４７に記載の方法。
［Ｃ４９］  通信チャネル上のシーケンシャルフレーム送信の早期終了のための方法であって、前記方法は、
少なくとも１つの送信機から第１のフレームを連続的に受信することと；
全体の第１のフレームを受信する前に、前記第１のフレームを復号することを試みること；
前記試みの結果に基づいて、成功フレーム復号を決定することと；
前記成功フレーム復号を決定することに基づいて、肯定応答メッセージを送信することと、なお、前記肯定応答メッセージは、前記少なくとも１つの送信機のそれぞれによって前記第１のフレームの送信を止めるように動作できる；
を備えている、方法。
［Ｃ５０］  前記少なくとも１つの送信機は、第１の送信機と第２の送信機とを備えており、前記肯定応答メッセージを送信することは、前記第１の送信機と前記第２の送信機の両方に対して、前記肯定応答メッセージを送信することを備えている、Ｃ４９に記載の方法。
【外国語明細書】
2014096799000001.pdf